(57)【特許請求の範囲】
【請求項１】
複数のＴＶ視聴者に、放送コンテンツ関連情報を提供するＴＶ放送コンテンツ共有方法において、
ＴＶ放送コンテンツをＴＶデバイスに提供する段階と、
前記ＴＶデバイスまたは前記ＴＶデバイスと係わるスマートデバイスから前記ＴＶ放送コンテンツと係わるＴＶ放送共有サービスに係わるチェックイン要請を受信する段階と、
前記チェックイン要請を伝送した前記ＴＶデバイスまたは前記スマートデバイスがＴＶ視聴者のデバイスとして登録されたものであるか否かに基づきチェックインを受諾する段階と、
チェックインされた前記ＴＶ放送コンテンツについて、リアルタイムでチェックインしているリアルタイム視聴者に係わるリアルタイム視聴者情報及び前記チェックインされた前記ＴＶ放送コンテンツと係わって、ソーシャル・ネットワーク内でアクセス可能な関連サービス情報を含むチェックイン細部情報を、前記ＴＶ視聴者のデバイスとして登録された前記ＴＶデバイスまたは前記スマートデバイスに提供する段階と、を含むことを特徴とするソーシャル・ネットワーク基盤のＴＶ放送コンテンツ共有方法。
【請求項２】
前記関連サービス情報提供段階は、
前記ＴＶ放送コンテンツと係わって、リアルタイムで生成される関連ＳＮＳ（social network service）情報を検索して伝送する段階と、
前記チェックインされた前記ＴＶ放送コンテンツのソーシャル・コミュニティ・サービスを提供する段階と、
前記ソーシャル・コミュニティと連動する前記ＴＶ放送コンテンツに係わる公式情報を提供する段階と、をさらに含むことを特徴とする請求項１に記載のソーシャル・ネットワーク基盤のＴＶ放送コンテンツ共有方法。
【請求項３】
前記ソーシャル・ネットワーク基盤のＴＶ放送コンテンツ共有方法は、
ＴＶ放送共有サービス管理サーバに登録されたＴＶ視聴者個人情報に基づいて、チェックイン要請の受諾いかんを決定する段階をさらに含むことを特徴とする請求項１に記載のソーシャル・ネットワーク基盤のＴＶ放送コンテンツ共有方法。
【請求項４】
前記ソーシャル・ネットワーク基盤のＴＶ放送コンテンツ共有方法は、
前記ＴＶデバイスを介して、前記ＴＶ視聴者に、前記ＴＶ視聴者の関心対象視聴者を含む関心グループについて、前記関心対象視聴者のチェックイン状態、視聴中であるＴＶ放送コンテンツなどに係わる現況情報を含む関心グループ情報を提供する段階と、
前記ＴＶデバイスを介して、前記ＴＶ視聴者から、前記関心対象視聴者のうち、第１視聴者に係わる同時視聴申請情報を受信する段階と、
前記ＴＶデバイスを介して、前記同時視聴申請情報について受諾した第１視聴者と前記ＴＶ視聴者との間に、前記チェックインされたＴＶ放送コンテンツに係わる意見共有サービスを提供する段階と、をさらに含み、
前記意見共有サービスは、前記同時視聴申請情報について受諾した第１視聴者と前記ＴＶ視聴者とのチャット、イモティコン、音声文字及び画像チャットのうち、少なくとも１つのサービスを含むことを特徴とする請求項１に記載のソーシャル・ネットワーク基盤のＴＶ放送コンテンツ共有方法。
【請求項５】
前記ソーシャル・ネットワーク基盤のＴＶ放送コンテンツ共有方法は、
前記ＴＶ視聴者の前記関心対象視聴者、及び前記リアルタイム視聴者のうち、少なくとも１人の視聴者から収集した、前記チェックインされたＴＶ放送コンテンツに係わるアイテムの購買履歴、購買意見及び購買現況のうち少なくとも一つを含むソーシャルコマース情報を、前記ＴＶ視聴者に提供する段階をさらに含むことを特徴とする請求項４に記載のソーシャル・ネットワーク基盤のＴＶ放送コンテンツ共有方法。
【請求項６】
ＴＶデバイス及び前記ＴＶデバイスと係わるスマートデバイスによって、放送コンテンツ関連情報を受信する方法において、
受信された放送ストリームから抽出されたＴＶ放送コンテンツを前記ＴＶデバイスにディスプレイする段階と、
前記ＴＶ放送コンテンツに係わる放送コンテンツ関連情報を提供するＴＶ放送共有サービスに係わるチェックイン要請を、前記ＴＶデバイスまたは前記スマートデバイスを介して、ＴＶ視聴者から入力され、ＴＶ放送共有サービス管理サーバに伝送する段階と、
前記チェックイン要請を伝送した前記ＴＶデバイスまたは前記スマートデバイスが前記ＴＶ視聴者のデバイスとして登録されたものであるか否かに基づきチェックインを受諾した前記ＴＶ放送共有サービス管理サーバから、前記ＴＶ視聴者のデバイスとして登録された前記ＴＶデバイスまたは前記スマートデバイスがチェックインされた前記ＴＶ放送コンテンツについて、リアルタイムでチェックインしているリアルタイム視聴者に係わるリアルタイム視聴者情報を受信する段階と、
前記ＴＶ放送共有サービス管理サーバから、前記ＴＶ視聴者のデバイスとして登録された前記ＴＶデバイスまたは前記スマートデバイスが前記チェックインされた前記ＴＶ放送コンテンツと係わって、ソーシャル・ネットワーク内でアクセス可能な関連サービス情報を受信する段階と、
前記チェックインされたＴＶ放送コンテンツに係わる前記リアルタイム視聴者情報と、前記関連サービス情報とを含むチェックイン細部情報とを、前記ＴＶデバイスまたは前記スマートデバイスにディスプレイする段階と、を含むことを特徴とするＴＶデバイス及びスマートデバイスによるソーシャル・ネットワーク基盤のＴＶ放送サービス受信方法。
【請求項７】
前記リアルタイム視聴者情報を受信する段階は、
前記ＴＶデバイスまたは前記スマートデバイスを介して、前記チェックインされた前記ＴＶ放送コンテンツをリアルタイムで視聴しているチェックインされた他の視聴者の総数、それぞれのＴＶ視聴者の共同視聴または対話が可能であるか否かということ、前記チェックインされた前記ＴＶ放送コンテンツに係わる前記それぞれのＴＶ視聴者の参与度、前記ＴＶ視聴者及び前記他の視聴者のうち上位参与度の視聴者のうち、少なくとも一人についての情報を受信する段階と、を含み、
前記関連サービス情報受信段階は、
前記ＴＶデバイスまたは前記スマートデバイスを介して、前記ＴＶ視聴者から、前記ＴＶ放送コンテンツと係わって、リアルタイムで生成される関連ＳＮＳ情報の検索要請を入力されて伝送する段階と、
前記ＴＶデバイスまたは前記スマートデバイスを介して、前記検索要請に対して検索されたリアルタイム関連ＳＮＳ情報を受信する段階と、を含むことを特徴とする請求項６に記載のＴＶデバイス及びスマートデバイスによるソーシャル・ネットワーク基盤のＴＶ放送サービス受信方法。
【請求項８】
前記ＴＶデバイス及びスマートデバイスによるソーシャル・ネットワーク基盤のＴＶ放送サービスを受信する方法は、
前記スマートデバイスを介して、前記チェックインされた前記ＴＶ放送コンテンツのソーシャル・コミュニティ・サービスと、前記ソーシャル・コミュニティと連動する前記ＴＶ放送コンテンツに係わる公式情報とを受信する段階をさらに含むことを特徴とする請求項６に記載のＴＶデバイス及びスマートデバイスによるソーシャル・ネットワーク基盤のＴＶ放送サービス受信方法。
【請求項９】
前記ＴＶデバイス及び前記ＴＶデバイス以外のスマートデバイスによるソーシャル・ネットワーク基盤のＴＶ放送サービス受信方法は、
前記ＴＶデバイスまたは前記スマートデバイスを介して、前記ＴＶ視聴者の関心対象視聴者を含む関心グループについて、前記関心対象視聴者のチェックイン状態、視聴中であるコンテンツなどに係わる現況情報を含む関心グループ情報を受信する段階と、
前記ＴＶデバイスまたは前記スマートデバイスを介して、前記ＴＶ視聴者から、前記関心対象視聴者のうち、第１視聴者に係わる同時視聴申請情報を入力されて伝送する段階と、
前記ＴＶデバイスまたは前記スマートデバイスを介して、前記同時視聴申請情報について受諾した第１視聴者と前記ＴＶ視聴者との間に、前記チェックインされた前記ＴＶ放送コンテンツに係わる意見共有サービスを受信する段階と、をさらに含むことを特徴とする請求項６に記載のＴＶデバイス及びスマートデバイスによるソーシャル・ネットワーク基盤のＴＶ放送サービス受信方法。
【請求項１０】
前記ＴＶデバイス及びスマートデバイスによるソーシャル・ネットワーク基盤のＴＶ放送サービス受信方法は、
前記スマートデバイスを介して、前記ＴＶ視聴者の前記関心対象視聴者、及び前記リアルタイム視聴者のうち、少なくとも１人の視聴者から収集した、前記チェックインされた前記ＴＶ放送コンテンツに係わるアイテムの購買履歴、購買意見及び購買現況のうち、少なくとも一つを含むソーシャルコマース情報を受信する段階をさらに含むことを特徴とする請求項９に記載のＴＶデバイス及びスマートデバイスによるソーシャル・ネットワーク基盤のＴＶ放送サービス受信方法。
【請求項１１】
放送コンテンツ関連情報を提供するためのＴＶ放送共有サービス管理サーバにおいて、
ＴＶ放送コンテンツを視聴しているＴＶデバイスまたは前記ＴＶデバイスと係わるスマートデバイスから、前記ＴＶ放送コンテンツに係わるＴＶ放送共有サービスに係わるチェックイン要請を受信し、前記ＴＶデバイスまたは前記スマートデバイスがＴＶ視聴者のデバイスとして登録されたものであるか否かによって受諾いかんを決定するチェックイン管理部と、
前記ＴＶ放送共有サービスに登録された複数のＴＶ視聴者のソーシャル・ネットワーク内の個人情報を管理する視聴者別個人情報管理部と、
前記チェックイン管理部がチェックイン要請を受諾した場合、前記チェックインされた前記ＴＶ放送コンテンツについて、チェックインしている視聴者に係わる視聴者情報を前記チェックイン要請を伝送した前記ＴＶデバイスまたは前記スマートデバイスに提供するリアルタイム視聴者情報管理部と、
前記チェックインされた前記ＴＶ放送コンテンツと係わって、ソーシャル・ネットワーク内でアクセス可能な関連サービス情報を前記チェックイン要請を伝送した前記ＴＶデバイスまたは前記スマートデバイスに提供する関連サービス情報管理部と、を含むことを特徴とするソーシャル・ネットワーク基盤のＴＶ放送共有サービス管理サーバ。
【請求項１２】
請求項１に記載のソーシャル・ネットワーク基盤のＴＶ放送コンテンツ共有方法を電算的に具現するためのプログラムが記録されたコンピュータで読み取り可能な記録媒体。
【発明の詳細な説明】
【技術分野】
【０００１】
本発明のデジタルＴＶ（television）放送コンテンツと係わって、放送補助情報を送受信するデジタルＴＶ放送に関する。
【背景技術】
【０００２】
個人の表現欲求が高まりながら、人間の間の社会的関係を結ばせ、親しみ深い関係を維持させるソーシャル・ネットワーク・サービス（ＳＮＳ：social network service）技術もだんだんと発達している。初期には、主に親睦図り、エンターテインメント用途に活用されたが、その後、ビジネス・各種情報共有などの生産的用途に活用する傾向になっている。また、インターネット検索より、ソーシャル・ネットワーク・サービスを介して最新情報を求め、これを活用する向きも多い。ほとんど知り合いの知り合いで連結されている特性上、一般検索を介して求める情報より、友人の推薦で共有する情報の方が信頼性が高く、かつ簡潔に伝達される。
最近、ネットワーク環境の向上と、ソーシャル・ネットワーク・サービスに向けられる人々の満足度が向上することによって、インターネットサービス以外の多方面で利用しようとする動きがある。
【発明の概要】
【発明が解決しようとする課題】
【０００３】
本発明は、ソーシャル・ネットワーク網を介して、多数のＴＶ視聴者間に、ＴＶ放送コンテンツの関連情報を共有させるものである。
【課題を解決するための手段】
【０００４】
本発明の一実施形態によって、ネットワーク網を介して、複数のＴＶ視聴者に放送コンテンツ関連情報を提供するＴＶ放送コンテンツ共有方法は、ＴＶ視聴者から、ＴＶ放送共有サービスに対するチェックイン要請を受信する段階と、前記ＴＶ視聴者によってチェックインされたコンテンツについて、リアルタイムでチェックインしている視聴者に係わるリアルタイム視聴者情報を提供する段階と、前記チェックインされたコンテンツと係わって、ソーシャル・ネットワーク内でアクセス可能な関連サービス情報を提供する段階と、を含む。
【発明の効果】
【０００５】
一実施形態によるソーシャル・ネットワークに基づいたＴＶ放送コンテンツ共有サービスに基づいて、共有サービスにチェックインしたＴＶ視聴者は、ＴＶ放送コンテンツと係わって、幅広いＳＮＳ情報または放送情報を獲得することができ、ＴＶ放送コンテンツと係わる社会的グループが形成されるので、グループを介した社会的活動を介して、ＴＶ視聴者間の社会活動参与が誘導される。
【図面の簡単な説明】
【０００６】
【図１】一実施形態によるソーシャル・ネットワーク基盤のＴＶ放送共有サービス管理サーバのブロック図である。
【図２】一実施形態によるソーシャル・ネットワーク網を介して、ＴＶ放送コンテンツ関連情報を受信するＴＶデバイスのブロック図である。
【図３】一実施形態によるソーシャル・ネットワーク網を介して、ＴＶ放送コンテンツ関連情報を受信するスマートデバイスのブロック図である。
【図４】一実施形態によるＴＶ放送共有サービス管理サーバによって提供されるＴＶ放送共有サービスにチェックインした場合、可能なＴＶコンテンツの共有実施形態を図示する図面である。
【図５】一実施形態によるＴＶ放送共有サービスにチェックインする前の画面を例示する図面である。
【図６】一実施形態によるＴＶ放送共有サービスにチェックインした後の初期画面を例示する図面である。
【図７】一実施形態によるＴＶ放送共有サービスへのチェックイン細部情報のうち、友人リスト項目を例示する図面である。
【図８】一実施形態によるＴＶ放送共有サービスへのチェックイン細部情報のうち、参与度項目を例示する図面である。
【図９】一実施形態によるＴＶ放送共有サービスへのチェックイン細部情報のうち、関連情報項目を例示する図面である。
【図１０】一実施形態によるＴＶ放送共有サービスへのチェックイン細部情報のうち、投票項目を例示する図面である。
【図１１】一実施形態によるＴＶ放送共有サービスにチェックインしたＴＶデバイスと、補助スマートデバイスとの一使用例を図示する図面である。
【図１２】一実施形態によってチェックインされたコンテンツと係わって、推薦情報を提供する画面を例示する図面である。
【図１３】一実施形態によってチェックインされたコンテンツと係わって、推薦情報を提供する画面を例示する図面である。
【図１４】一実施形態によるＴＶ放送共有サービスが提供するコンテンツ基盤のコミュニティ・サービスの画面を例示する図面である。
【図１５】一実施形態によるＴＶ放送共有サービスが提供するリアルタイム・コメント利用サービスの画面を例示する図面である。
【図１６】一実施形態によるＴＶ放送共有サービスが図示された視聴者インターフェース画面を図示する図面である。
【図１７】一実施形態によるＴＶ放送共有サービスが図示された視聴者インターフェース画面を図示する図面である。
【図１８】一実施形態によるＴＶ放送共有サービスが図示された視聴者インターフェース画面を図示する図面である。
【図１９】一実施形態によるＴＶ放送共有サービスが提供する他の視聴者細部情報を図示する図面である。
【図２０】一実施形態によるＴＶ放送共有サービスが提供する友人リスト画面を例示する図面である。
【図２１】一実施形態によるＴＶ放送共有サービスが提供する放送コンテンツを共に視聴する友人との意見共有画面を例示する図面である。
【図２２】一実施形態によるＴＶ放送共有サービスが提供する放送コンテンツと係わるソーシャルコマース・サービスを例示する図面である。
【図２３】一実施形態によるソーシャル・ネットワーク基盤のＴＶ放送コンテンツ共有方法のフローチャートである。
【図２４】一実施形態によるＴＶデバイスによるソーシャル・ネットワーク基盤のＴＶ放送サービス受信方法のフローチャートである。
【図２５】一実施形態によるスマートデバイスによるソーシャル・ネットワーク基盤のＴＶ放送サービス受信方法のフローチャートである。
【発明を実施するための形態】
【０００７】
本発明の一実施形態によって、ネットワーク網を介して、複数のＴＶ（television）視聴者に放送コンテンツ関連情報を提供するＴＶ放送コンテンツ共有方法は、ＴＶ視聴者から、ＴＶ放送共有サービスに対するチェックイン要請を受信する段階と、前記ＴＶ視聴者によってチェックインされたコンテンツについて、リアルタイムでチェックインしている視聴者に係わるリアルタイム視聴者情報を提供する段階と、前記チェックインされたコンテンツと係わって、ソーシャル・ネットワーク内でアクセス可能な関連サービス情報を提供する段階と、を含む。
【０００８】
一実施形態による前記チェックイン要請受信段階は、前記ＴＶ放送共有サービス管理サーバに登録されたＴＶ視聴者個人情報に基づいて、チェックインいかんを受諾する段階を含んでもよい。
【０００９】
一実施形態による前記リアルタイム視聴者情報提供段階は、前記チェックインされたコンテンツをリアルタイムで視聴しているチェックインされた他の視聴者の総数、それぞれのＴＶ視聴者の共同視聴または対話が可能であるか否かということ、前記チェックインされたコンテンツに係わる前記それぞれのＴＶ視聴者の参与度、前記ＴＶ視聴者及び前記他の視聴者のうち上位参与度の視聴者のうち、少なくとも一人についての情報を伝送する段階を含んでもよい。
【００１０】
一実施形態による前記関連サービス情報提供段階は、前記コンテンツと係わって、リアルタイムで生成される関連ＳＮＳ（social network service）情報を検索して伝送する段階を含んでもよい。
【００１１】
一実施形態による前記関連サービス情報提供段階は、現在のＴＶ視聴者から、前記コンテンツと係わって、リアルタイムで関連ＳＮＳ情報の発行（publish）要請を受信する段階と、前記発行要請に従って、前記現在のＴＶ視聴者の個人ＳＮＳアカウントに、前記コンテンツと係わる関連ＳＮＳ情報を連結する段階を含んでもよい。
【００１２】
一実施形態による前記関連サービス情報提供段階は、前記チェックインされたコンテンツと係わって、前記ソーシャル・ネットワーク内で、前記コンテンツと密接な関連性のある対象についての推薦情報を伝送する段階を含んでもよい。
【００１３】
一実施形態による前記ソーシャル・ネットワーク基盤のＴＶ放送コンテンツ共有方法は、前記ＴＶ視聴者から、前記チェックインされたコンテンツと係わる細部情報の検索要請を受信する段階と、前記ＴＶ視聴者の個人ＳＮＳアカウントに、前記チェックインされたコンテンツと係わって検索された細部情報に係わる個人ポスティング（ｐｏｓｔｉｎｇ）の掲示要請を受信する段階と、を含んでもよい。
【００１４】
一実施形態による前記ソーシャル・ネットワーク基盤のＴＶ放送コンテンツ共有方法は、前記ＴＶ視聴者のメインＴＶ以外に、補助スマートデバイスからチェックイン要請を受信する段階と、前記補助スマートデバイスに、前記チェックイン要請されたコンテンツに係わる前記リアルタイム視聴者情報と、前記アクセス可能な関連サービス情報とを含むチェックイン細部情報を伝送する段階と、を含んでもよい。
【００１５】
一実施形態による前記ソーシャル・ネットワーク基盤のＴＶ放送コンテンツ共有方法は、前記ＴＶ視聴者から、前記チェックインされたコンテンツに係わる放送参与用文字申請を受信する段階と、前記文字申請された文字情報をフィルタリングする段階と、前記放送参与が可能な文字情報をティッカ（ticker）形態で伝送する段階と、をさらに含んでもよい。
【００１６】
一実施形態による前記ソーシャル・ネットワーク基盤のＴＶ放送コンテンツ共有方法は、前記チェックインされたコンテンツ基盤のソーシャル・コミュニティ・サービスを提供する段階と、前記ソーシャル・コミュニティと連動する前記コンテンツと係わる公式情報を提供する段階と、をさらに含んでもよい。
【００１７】
一実施形態による前記ソーシャル・ネットワーク基盤のＴＶ放送コンテンツ共有方法は、前記チェックインされたコンテンツに係わるリアルタイム・コメント情報を受信する段階と、コメントサービスに基づいて、視聴誘導サービス、コメント参与サービス及びコメント観覧サービスのうち少なくとも一つを提供する段階と、をさらに含んでもよい。
【００１８】
一実施形態による前記ソーシャル・ネットワーク基盤のＴＶ放送コンテンツ共有方法は、前記チェックインされたコンテンツに係わる前記リアルタイム視聴者情報、及び前記関連サービス情報のうち、前記ＴＶ視聴者に選択された項目だけが、前記ＴＶ視聴者のＴＶでディスプレイされるためのグラフィック・ユーザ・インターフェースを提供する段階をさらに含んでもよい。
【００１９】
一実施形態による前記ソーシャル・ネットワーク基盤のＴＶ放送コンテンツ共有方法は、前記ＴＶ視聴者に、前記ＴＶ視聴者の関心対象視聴者を含む関心グループについて、前記関心対象視聴者のチェックイン状態、視聴中であるコンテンツなどに係わる現況情報を含む関心グループ情報を提供する段階をさらに含んでもよい。
【００２０】
一実施形態による前記ソーシャル・ネットワーク基盤のＴＶ放送コンテンツ共有方法は、前記ＴＶ視聴者から、前記関心対象視聴者のうち、第１視聴者に係わる同時視聴申請情報を受信する段階と、前記同時視聴申請について受諾した第１視聴者と前記ＴＶ視聴者との間に、前記チェックインされたコンテンツに係わる意見共有サービスを提供する段階をさらに含んでもよい。
【００２１】
一実施形態による前記意見共有サービスは、前記同時視聴申請について受諾した第１視聴者と前記ＴＶ視聴者とのチャット、イモティコン、音声文字及び画像チャットのうち少なくとも１つのサービスを含んでもよい。
【００２２】
一実施形態による前記ソーシャル・ネットワーク基盤のＴＶ放送コンテンツ共有方法は、前記ＴＶ視聴者から、前記関心対象視聴者のうち、第１視聴者との画像チャット申請を受信する段階と、前記画像チャットを受諾した第１視聴者と前記ＴＶ視聴者との画像チャット中に、所定コンテンツに係わる共有要請を受信する段階と、前記共有要請されたコンテンツに係わる共有サービスを提供する段階と、を含んでもよい。
【００２３】
一実施形態による前記ソーシャル・ネットワーク基盤のＴＶ放送コンテンツ共有方法は、前記ＴＶ視聴者の前記関心対象視聴者、及び前記リアルタイム視聴者のうち、少なくとも１人の視聴者から収集した、前記チェックインされたコンテンツと係わるアイテムの購買履歴、購買意見及び購買現況のうち少なくとも一つを含むソーシャルコマース（social commerce）情報を、前記ＴＶ視聴者に提供する段階をさらに含んでもよい。
【００２４】
一実施形態による前記ソーシャル・ネットワーク基盤のＴＶ放送コンテンツ共有方法は、前記ＴＶ視聴者の前記関心対象視聴者、及び前記リアルタイム視聴者のうち、前記ＴＶ視聴者のＴＶが位置した地域に登録された少なくとも１人の視聴者から収集した地域情報を、前記ＴＶ視聴者に提供する段階をさらに含んでもよい。
【００２５】
一実施形態による前記ソーシャル・ネットワーク基盤のＴＶ放送コンテンツ共有方法は、前記放送コンテンツを含む放送ストリームを伝送する段階をさらに含んでもよい。
【００２６】
本発明の一実施形態において、ＴＶデバイスによって、ネットワーク網を介して、放送コンテンツ関連情報を受信する方法は、放送ストリームを受信する段階と、複数のＴＶ視聴者に放送コンテンツ関連情報を提供するためのＴＶ放送共有サービスに係わるチェックイン要請を、ＴＶ視聴者から入力され、ＴＶ放送共有サービス管理サーバに伝送する段階と、前記ＴＶ放送共有サービス管理サーバから、前記ＴＶ視聴者によってチェックインされたコンテンツについて、リアルタイムでチェックインしている視聴者に係わるリアルタイム視聴者情報を受信する段階と、前記ＴＶ放送共有サービス管理サーバから、前記チェックインされたコンテンツと係わって、ソーシャル・ネットワーク内でアクセス可能な関連サービス情報を受信する段階と、前記チェックインされたコンテンツに係わる前記リアルタイム視聴者情報と、前記関連サービス情報とを含むチェックイン細部情報を、前記受信された放送ストリームから抽出された放送コンテンツと共にディスプレイする段階と、を含む。
【００２７】
一実施形態による前記リアルタイム視聴者情報を受信する段階は、前記チェックインされたコンテンツをリアルタイムで視聴しているチェックインされた他の視聴者の総数、それぞれのＴＶ視聴者の共同視聴または対話が可能であるか否かということ、前記チェックインされたコンテンツに係わる前記それぞれのＴＶ視聴者の参与度、前記ＴＶ視聴者及び前記他の視聴者のうち上位参与度の視聴者のうち、少なくとも一人についての情報を受信する段階を含んでもよい。
【００２８】
一実施形態による前記関連サービス情報受信段階は、前記ＴＶ視聴者から、前記コンテンツと係わって、リアルタイムで生成される関連ＳＮＳ情報の検索要請を入力されて伝送する段階と、前記検索結果リアルタイム関連ＳＮＳ情報を受信する段階と、を含んでもよい。
【００２９】
一実施形態による前記関連サービス情報受信段階は、前記ＴＶ視聴者から、前記コンテンツと係わって、リアルタイムで関連ＳＮＳ情報の発行要請を入力されて伝送する段階と、前記ＴＶ視聴者の個人ＳＮＳアカウントに、前記コンテンツと係わる関連ＳＮＳ情報の連結結果情報を受信する段階と、を含んでもよい。
【００３０】
一実施形態による前記関連サービス情報受信段階は、前記チェックインされたコンテンツと係わって、前記ソーシャル・ネットワーク内で、前記コンテンツと密接な関連性のある対象についての推薦情報を受信する段階を含んでもよい。
【００３１】
一実施形態による前記ＴＶデバイスによるソーシャル・ネットワーク基盤のＴＶ放送サービス受信方法は、前記ＴＶ視聴者から、前記チェックインされたコンテンツと係わる細部情報の検索要請を入力されて伝送する段階と、前記ＴＶ視聴者から、前記ＴＶ視聴者の個人ＳＮＳアカウントに、前記チェックインされたコンテンツの細部情報と係わる個人ポスティングの掲示要請を入力されて伝送する段階と、を含んでもよい。
【００３２】
一実施形態による前記ＴＶデバイスによるソーシャル・ネットワーク基盤のＴＶ放送サービスを受信する方法は、前記ＴＶ視聴者から、前記チェックインされたコンテンツに係わる放送参与用文字申請を入力されて伝送する段階と、前記文字申請された文字情報のうち、フィルタリングされて放送参与が可能な文字情報をティッカ形態で受信する段階と、をさらに含んでもよい。
【００３３】
一実施形態による前記ＴＶデバイスによるソーシャル・ネットワーク基盤のＴＶ放送サービスを受信する方法は、前記チェックインされたコンテンツ基盤のソーシャル・コミュニティ・サービスを受信する段階と、前記ソーシャル・コミュニティと連動する前記コンテンツと係わる公式情報を受信する段階と、をさらに含んでもよい。
【００３４】
一実施形態による前記ＴＶデバイスによるソーシャル・ネットワーク基盤のＴＶ放送サービス受信方法は、前記ＴＶ視聴者から入力された前記チェックインされたコンテンツに係わるリアルタイム・コメント掲載要請を伝送する段階と、前記ＴＶ視聴者、及び前記リアルタイム視聴者のリアルタイム・コメント情報を受信する段階と、前記リアルタイム・コメントに基づいて、視聴誘導サービス、コメント参与サービス及びコメント観覧サービスのうち少なくとも一つを受信する段階と、をさらに含んでもよい。
【００３５】
一実施形態による前記ＴＶデバイスによるソーシャル・ネットワーク基盤のＴＶ放送サービス受信方法は、前記チェックインされたコンテンツに係わる前記リアルタイム視聴者情報、及び前記関連サービス情報のうち、前記ＴＶ視聴者に選択された項目だけが、前記ＴＶ視聴者のＴＶでディスプレイされるためのグラフィック・ユーザ・インターフェースを受信する段階をさらに含んでもよい。
【００３６】
一実施形態による前記ディスプレイ段階は、前記チェックインされたコンテンツに係わる前記リアルタイム視聴者情報、及び前記関連サービス情報のうち、前記ＴＶ視聴者に選択された項目のみを、前記放送コンテンツと共に前記ＴＶ視聴者のＴＶでディスプレイする段階を含んでもよい。
【００３７】
一実施形態による前記ＴＶデバイスによるソーシャル・ネットワーク基盤のＴＶ放送サービス受信方法は、前記ＴＶ視聴者の関心対象視聴者を含む関心グループについて、前記関心対象視聴者のチェックイン状態、視聴中であるコンテンツなどに係わる現況情報を含む関心グループ情報を受信する段階をさらに含んでもよい。
【００３８】
一実施形態による前記ＴＶデバイスによるソーシャル・ネットワーク基盤のＴＶ放送サービス受信方法は、前記ＴＶ視聴者から、前記関心対象視聴者のうち、第１視聴者に係わる同時視聴申請情報を入力されて伝送する段階と、前記同時視聴申請について受諾した第１視聴者と前記ＴＶ視聴者との間に、前記チェックインされたコンテンツに係わる意見共有サービスを受信する段階と、をさらに含んでもよい。
【００３９】
一実施形態による前記ＴＶデバイスによるソーシャル・ネットワーク基盤のＴＶ放送サービス受信方法は、前記ＴＶ視聴者から、前記関心対象視聴者のうち、第１視聴者との画像チャット申請を入力されて伝送する段階と、前記画像チャットを受諾した第１視聴者と前記ＴＶ視聴者との画像チャット中に、所定コンテンツに係わる共有要請を入力されて伝送する段階と、前記共有要請されたコンテンツに係わる共有サービスを受信する段階と、を含んでもよい。
【００４０】
一実施形態による前記ＴＶデバイスによるソーシャル・ネットワーク基盤のＴＶ放送サービス受信方法は、前記ＴＶ視聴者の前記関心対象視聴者、及び前記リアルタイム視聴者のうち、少なくとも１人の視聴者から収集した、前記チェックインされたコンテンツと係わるアイテムの購買履歴、購買意見及び購買現況のうち少なくとも一つを含むソーシャルコマース情報を受信する段階をさらに含んでもよい。
【００４１】
一実施形態による前記ＴＶデバイスによるソーシャル・ネットワーク基盤のＴＶ放送サービス受信方法は、前記ＴＶ視聴者の前記関心対象視聴者、及び前記リアルタイム視聴者のうち、前記ＴＶ視聴者のＴＶが位置した地域に登録された少なくとも１人の視聴者から収集した地域情報を受信する段階をさらに含んでもよい。
【００４２】
本発明の一実施形態において、スマートデバイスによって、ネットワーク網を介して、放送コンテンツ関連情報を受信する方法は、前記スマートデバイスが、複数のＴＶ視聴者に放送コンテンツ関連情報を提供するためのＴＶ放送共有サービスに係わるチェックイン要請を、ＴＶデバイスを具備したＴＶ視聴者から入力され、ＴＶ放送共有サービス管理サーバに伝送する段階と、前記ＴＶ放送共有サービス管理サーバから、前記ＴＶ視聴者によってチェックインされたコンテンツについて、リアルタイムでチェックインしている視聴者に係わるリアルタイム視聴者情報を受信する段階と、前記ＴＶ放送共有サービス管理サーバから、前記チェックインされたコンテンツと係わって、ソーシャル・ネットワーク内でアクセス可能な関連サービス情報を受信する段階と、前記チェックインされたコンテンツに係わる前記リアルタイム視聴者情報と、前記関連サービス情報とを含むチェックイン細部情報をディスプレイする段階と、を含む。
【００４３】
一実施形態による前記スマートデバイスによる、ソーシャル・ネットワーク基盤のＴＶ放送サービス受信方法は、前記スマートデバイスによるチェックイン後、前記スマートデバイスを介して、前記ＴＶ放送共有サービス管理サーバに、前記ＴＶ視聴者の要請を伝送する段階と、前記ＴＶ視聴者のＴＶデバイスにディスプレイされる前記放送コンテンツに係わり、前記チェックイン細部情報、及び前記チェックインされたコンテンツに係わるＳＮＳ情報を、前記スマートデバイスにディスプレイする段階と、を含んでもよい。
【００４４】
本発明の一実施形態によって、ネットワーク網を介して、複数のＴＶ視聴者に放送コンテンツ関連情報を提供するためのＴＶ放送共有サービス管理サーバは、ＴＶ視聴者から、ＴＶ放送共有サービスに係わるチェックイン要請を受信して受諾いかんを決定するチェックイン管理部と、前記ＴＶ放送共有サービスに登録された前記複数のＴＶ視聴者のソーシャル・ネットワーク内の個人情報を管理する視聴者別個人情報管理部と、前記ＴＶ視聴者によってチェックインされたコンテンツについて、リアルタイムでチェックインしている視聴者に係わるリアルタイム視聴者情報を管理するリアルタイム視聴者情報管理部と、前記チェックインされたコンテンツと係わって、ソーシャル・ネットワーク内でアクセス可能な関連サービス情報を管理する関連サービス情報管理部と、を含む。
【００４５】
一実施形態による前記ＴＶ放送共有サービス管理サーバは、前記チェックインされたコンテンツ基盤のソーシャル・コミュニティ・サービスを管理し、前記ＴＶ視聴者に、前記ソーシャル・コミュニティと連動する前記コンテンツと係わる公式情報を提供するコンテンツ・コミュニティ管理部をさらに含んでもよい。
【００４６】
一実施形態による前記ＴＶ放送共有サービス管理サーバは、前記ＴＶ視聴者の関心対象視聴者を含む関心グループについて、前記関心対象視聴者のチェックイン状態、及び視聴中であるコンテンツなどに係わる現況情報を含む関心グループ情報を管理し、前記ＴＶ視聴者及び関心対象視聴者のうち、同時視聴申請を受諾した第１視聴者間に、前記チェックインされたコンテンツに係わる意見共有サービスを提供する関心グループ管理部をさらに含んでもよい。
【００４７】
一実施形態による前記ＴＶ放送共有サービス管理サーバは、前記ＴＶ視聴者の前記関心対象視聴者、及び前記リアルタイム視聴者のうち、少なくとも１人の視聴者から収集した、前記チェックインされたコンテンツと係わるアイテムの購買履歴、購買意見及び購買現況のうち少なくとも一つを含むソーシャルコマース情報を管理するソーシャルコマース管理部をさらに含んでもよい。
【００４８】
本発明の一実施形態によって、ネットワーク網を介して、ＴＶ放送コンテンツ関連情報を受信するＴＶデバイスは、放送ストリームを受信する放送受信部と、ＴＶ視聴者から各種要請を入力される視聴者インターフェース部と、前記視聴者インターフェース部を介して入力された、複数のＴＶ視聴者に放送コンテンツ関連情報を提供するためのＴＶ放送共有サービスに係わるチェックイン要請を、前記ＴＶ放送共有サービス管理サーバに伝送するチェックイン要請部と、前記ＴＶ放送共有サービス管理サーバから、前記ＴＶ視聴者によってチェックインされたコンテンツについて、リアルタイムでチェックインしている視聴者に係わるリアルタイム視聴者情報を受信し、前記チェックインされたコンテンツと係わって、ソーシャル・ネットワーク内でアクセス可能な関連サービス情報を受信するチェックイン細部情報受信部と、前記チェックインされたコンテンツに係わる前記リアルタイム視聴者情報と、前記関連サービス情報とを含むチェックイン細部情報を、前記受信された放送ストリームから抽出された放送コンテンツと共にディスプレイするディスプレイ部と、を含む。
【００４９】
本発明の一実施形態によって、ネットワーク網を介して、ＴＶ放送コンテンツ関連情報を受信するスマートデバイスは、前記スマートデバイスとＴＶデバイスとを具備したＴＶ視聴者から、各種要請を入力される視聴者インターフェース部と、前記視聴者インターフェース部を介して入力された、複数のＴＶ視聴者に放送コンテンツ関連情報を提供するためのＴＶ放送共有サービスに係わるチェックイン要請を、前記ＴＶ視聴者から入力され、ＴＶ放送共有サービス管理サーバに伝送するチェックイン要請部と、前記ＴＶ放送共有サービス管理サーバから、前記ＴＶ視聴者によってチェックインされたコンテンツについて、リアルタイムでチェックインしている視聴者に係わるリアルタイム視聴者情報を受信し、前記チェックインされたコンテンツと係わって、ソーシャル・ネットワーク内でアクセス可能な関連サービス情報を受信するチェックイン細部情報受信部と、前記チェックインされたコンテンツに係わる前記リアルタイム視聴者情報と、前記関連サービス情報とを含むチェックイン細部情報をディスプレイするディスプレイ部と、を含む。
【００５０】
本発明は、一実施形態によるソーシャル・ネットワーク基盤のＴＶ放送コンテンツ共有方法を電算的に具現するためのプログラムが記録されたコンピュータで読み取り可能な記録媒体を含む。本発明は、一実施形態によるＴＶデバイスによるソーシャル・ネットワーク基盤のＴＶ放送サービス受信方法を電算的に具現するためのプログラムが記録されたコンピュータで読み取り可能な記録媒体を含む。本発明は、一実施形態によるスマートデバイスによるソーシャル・ネットワーク基盤のＴＶ放送サービス受信方法を電算的に具現するためのプログラムが記録されたコンピュータで読み取り可能な記録媒体を含む。
【００５１】
以下、図１ないし図２５を参照し、一実施形態によるソーシャル・ネットワークに基づいて、ＴＶ放送サービスを共有するためのサービスを提供するＴＶ放送共有サービス管理サーバ、ＴＶ放送共有サービス管理サーバを介してＴＶ放送共有サービスを受信するＴＶデバイス及びスマートデバイスが開示され、前記ＴＶ放送共有サービス管理サーバ、ＴＶデバイス及びスマートデバイスがそれぞれ動作する方法が開示される。
【００５２】
図１は、一実施形態によるソーシャル・ネットワーク基盤のＴＶ放送共有サービス管理サーバ１００のブロック図を図示している。以下、説明の便宜のために、「ソーシャル・ネットワーク基盤のＴＶ放送共有サービス管理サーバ」を、「ＴＶ放送コンテンツ共有サーバ」と縮約して指し示す。
【００５３】
一実施形態によるＴＶ放送コンテンツ共有サーバ１００は、ネットワーク網１５０を介して、複数のＴＶ視聴者（ユーザ）に、放送コンテンツ関連情報を提供する。一実施形態によるＴＶ放送コンテンツ共有サーバ１００は、ＴＶ視聴者がソーシャル・ネットワークなどのネットワーク網１５０を介して、ＴＶ放送コンテンツ及び関連情報を共有するように、ＴＶ放送共有サービスを管理してＴＶ視聴者に提供することができる。
【００５４】
一実施形態によるＴＶ放送コンテンツ共有サーバ１００は、チェックイン管理部１１０、視聴者別個人情報管理部１２０、リアルタイム視聴者情報管理部１３０、及び関連サービス情報管理部１４０を含む。ＴＶ放送コンテンツ共有サーバ１００のチェックイン管理部１１０、視聴者別個人情報管理部１２０、リアルタイム視聴者情報管理部１３０及び関連サービス情報管理部１４０を含んだ各構成部は、ＴＶ放送コンテンツ共有サーバ１００に搭載された中央演算装置、または連動された外部制御装置などの制御を介して、有機的に作動される。
【００５５】
チェックイン管理部１１０は、ＴＶ放送コンテンツ共有サーバ１００が提供するネットワーク網１５０に接続したＴＶ視聴者から、ＴＶ放送共有サービスに係わるチェックイン要請を受信することができる。視聴者別個人情報管理部１２０は、ＴＶ放送共有サービスに登録された複数のＴＶ視聴者のソーシャル・ネットワーク内の個人情報を管理することができる。
【００５６】
チェックイン管理部１１０は、チェックインを要請したＴＶ視聴者について、視聴者別個人情報管理部１２０に保存された個人情報に基づいて、チェックイン受諾いかんを決定することができる。一実施形態によるソーシャル・ネットワーク内の個人情報は、視聴者のＩＤ（identification）情報、視聴者が所持した登録ＴＶデバイス２００または登録スマートデバイス３００、視聴者のＳＮＳ（social network service）アカウントなどを含んでもよい。また、ソーシャル・ネットワーク内の個人情報は、一実施形態によるＴＶ放送共有サービスと係わって、ＴＶ視聴者のＴＶ放送コンテンツに係わる視聴履歴、選好度、視聴スケジュールなどの個人コンテンツ情報を含んでもよい。また、一実施形態によるＴＶ放送共有サービスが提供するソーシャル・ネットワークを介して、他の視聴者との共有情報が個人情報に含まれてもよい。
【００５７】
チェックイン管理部１１０がＴＶ視聴者にチェックインを受諾すれば、リアルタイム視聴者情報管理部１３０及び関連サービス情報管理部１４０は、それぞれチェックイン細部情報をＴＶ視聴者に提供することができる。
【００５８】
リアルタイム視聴者情報管理部１３０は、ＴＶ視聴者によってチェックインされたコンテンツについて、リアルタイムでチェックインしている視聴者に係わるリアルタイム視聴者情報を管理する。リアルタイム視聴者情報管理部１３０は、ＴＶ視聴者に、チェックインされたコンテンツに係わるリアルタイム視聴者情報を提供することができる。
【００５９】
関連サービス情報管理部１４０は、チェックインされたコンテンツと係わって、ソーシャル・ネットワーク内でアクセス可能な関連サービス情報を管理する。関連サービス情報管理部１４０は、ＴＶ視聴者に、チェックインされたコンテンツに係わる関連サービス情報を提供することができる。
【００６０】
一実施形態によるリアルタイム視聴者情報管理部１３０は、ＴＶ視聴者によってチェックインされたコンテンツをリアルタイムで視聴しているチェックインされた他の視聴者の総数についての情報、それぞれのＴＶ視聴者の共同視聴または対話が可能であるか否かについての情報、チェックインされたコンテンツに係わるそれぞれのＴＶ視聴者の参与度情報、現在のＴＶ視聴者及び他の視聴者のうち参与度が高い視聴者に係わる情報のうち、少なくとも一つを含むリアルタイム視聴者情報を管理することができる。リアルタイム視聴者情報管理部１３０は、リアルタイム視聴者情報のうち、ＴＶ視聴者から要請された情報を伝送することができる。
【００６１】
一実施形態による関連サービス情報管理部１４０は、ＴＶ視聴者によってチェックインされたコンテンツと係わって、ソーシャル・ネットワークでリアルタイムで生成される関連ＳＮＳ情報の提供要請を受信することができる。それにより、関連サービス情報管理部１４０は、コンテンツと係わるリアルタイム関連ＳＮＳ情報を検索してＴＶ視聴者に伝送することができる。
【００６２】
一実施形態による関連サービス情報管理部１４０は、現在のＴＶ視聴者から、チェックインされたコンテンツと係わって、リアルタイムで関連ＳＮＳ情報の発行（publish）要請を受信することができる。関連サービス情報管理部１４０は、ＴＶ視聴者の要請に従って、現在のＴＶ視聴者の個人ＳＮＳアカウントに、コンテンツと係わる関連ＳＮＳ情報を連結することもできる。
【００６３】
一実施形態による関連サービス情報管理部１４０は、チェックインされたコンテンツと係わって、ソーシャル・ネットワーク内で、コンテンツと密接な関連性のある対象についての推薦情報を、ＴＶ視聴者に提供することができる。例えば、コンテンツのうち、所定対象の公式ウェブサイト情報、公式ＳＮＳアカウント情報などをＴＶ視聴者に伝送することができる。
【００６４】
一実施形態によるＴＶ放送コンテンツ共有サーバ１００は、ＴＶ視聴者から、チェックインされたコンテンツと係わる細部情報の検索要請を受信することができる。例えば、コンテンツの制作陣、出演陣、背景音楽、撮影場所などのような細部情報に係わる検索要請が受信され、ＴＶ視聴者に当該情報が提供される。
【００６５】
また、ＴＶ放送コンテンツ共有サーバ１００は、ＴＶ視聴者から、前記コンテンツまたは細部情報と係わって、個人ＳＮＳアカウントに、個人ポスティングの掲示要請を受信することもできる。
【００６６】
一実施形態によるＴＶ放送コンテンツ共有サーバ１００は、ＴＶ視聴者のメインＴＶ以外に、補助スマートデバイスから、チェックイン要請を受信することもできる。ＴＶ放送コンテンツ共有サーバ１００は、補助スマートデバイスにも、チェックイン要請されたコンテンツに係わるリアルタイム視聴者情報と、アクセス可能な関連サービス情報とを含むチェックイン細部情報を伝送することができる。
【００６７】
一実施形態によるＴＶ放送コンテンツ共有サーバ１００は、ＴＶ視聴者から、チェックインされたコンテンツに係わる放送参与用文字申請を受信することができる。ＴＶ放送コンテンツ共有サーバ１００は、文字申請された文字情報をフィルタリングすることもできる。ＴＶ放送コンテンツ共有サーバ１００は、放送参与が可能な文字情報を、ティッカ（ticker）形態で、放送コンテンツと共にディスプレイされるように、ＴＶ視聴者に伝送することができる。
【００６８】
一実施形態によるＴＶ放送コンテンツ共有サーバ１００は、ＴＶ視聴者に、チェックインされたコンテンツ基盤のソーシャル・コミュニティ・サービスを提供することもできる。つまり、ソーシャル・コミュニティと連動するコンテンツと係わる公式情報が提供される。例えば、チェックインされたコンテンツの制作陣または出演陣の公式ウェブサイト、または公式ＳＮＳアカウントについての情報がＴＶ視聴者に提供される。
【００６９】
一実施形態によるＴＶ放送コンテンツ共有サーバ１００は、ＴＶ視聴者から、チェックインされたコンテンツに係わるリアルタイム・コメント掲示要請を受信することができる。ＴＶ放送コンテンツ共有サーバ１００は、多数のＴＶ視聴者からも、現在コンテンツについて掲示要請されたリアルタイム・コメント情報に基づいて、リアルタイム・コメント利用サービスを提供することができる。例えば、多数のＴＶ視聴者のリアルタイム・コメントに基づいて、視聴誘導サービス、コメント参与サービス及びコメント観覧サービスのうち少なくとも一つが提供される。
【００７０】
一実施形態によるＴＶ放送コンテンツ共有サーバ１００は、ＴＶ視聴者によってチェックインされたコンテンツに係わるリアルタイム視聴者情報及び関連サービス情報のうち、ＴＶ視聴者に選択された項目だけがＴＶ視聴者のＴＶでディスプレイされるためのグラフィック・ユーザ・インターフェースを提供することができる。一実施形態によるＴＶ放送コンテンツ共有サーバ１００は、ＴＶ視聴者に所定情報が要請されるたびに、要請項目に係わるチェックイン細部情報のみを選別し、ＴＶ視聴者に伝送することもできる。
【００７１】
一実施形態によるＴＶ放送コンテンツ共有サーバ１００は、チェックインされたコンテンツ基盤のソーシャル・コミュニティ・サービスを管理するコンテンツ・コミュニティ管理部（図示せず）をさらに含んでもよい。一実施形態によるコンテンツ・コミュニティ管理部は、ＴＶ視聴者に、ソーシャル・コミュニティと連動するコンテンツと係わる公式情報を提供することができる。
【００７２】
一実施形態によるＴＶ放送コンテンツ共有サーバ１００は、ＴＶ視聴者の関心対象視聴者を含む関心グループに係わる関心グループ情報を管理する関心グループ管理部（図示せず）をさらに含んでもよい。一実施形態による関心グループ情報は、ＴＶ視聴者の関心対象視聴者のチェックイン状態、視聴中であるコンテンツなどに係わる現況情報を含んでもよい。
【００７３】
一実施形態による関心グループ管理部は、ＴＶ視聴者から、関心対象視聴者のうち、第１視聴者に係わる同時視聴申請情報を受信することができる。一実施形態による関心グループ管理部は、ＴＶ視聴者及び関心対象視聴者のうち、同時視聴申請を受諾した第１視聴者間に、チェックインされたコンテンツに係わる意見共有サービスを提供することができる。一実施形態による意見共有サービスは、同時視聴申請について受諾した第１視聴者とＴＶ視聴者とのチャット、イモティコン、音声文字及び画像チャットのうち少なくとも１つのサービスを含んでもよい。
【００７４】
また、一実施形態による関心グループ管理部は、ＴＶ視聴者から、関心対象視聴者のうち、第１視聴者との画像チャット申請を受信することができる。また、画像チャットを受諾した第１視聴者とＴＶ視聴者との画像チャット中に、所定コンテンツに係わる共有要請が受信される場合、一実施形態による関心グループ管理部は、共有要請されたコンテンツに係わる共有サービスを提供することもできる。
【００７５】
一実施形態によるＴＶ放送コンテンツ共有サーバ１００は、ＴＶ視聴者のチェックインされたコンテンツと係わるソーシャルコマース情報を管理するソーシャルコマース管理部（図示せず）をさらに含んでもよい。一実施形態によって、チェックインされたコンテンツと係わるソーシャルコマース情報は、ＴＶ視聴者の関心対象視聴者及びリアルタイム視聴者のうち、少なくとも１人の視聴者から収集した、チェックインされたコンテンツと係わるアイテムの購買履歴、購買意見及び購買現況のうち少なくとも一つを含んでもよい。
【００７６】
一実施形態によるＴＶ放送コンテンツ共有サーバ１００は、ＴＶ視聴者の関心対象視聴者及びリアルタイム視聴者のうち、ＴＶ視聴者のＴＶデバイス２００が位置した地域に登録された少なくとも１人の視聴者から収集した地域情報を、ＴＶ視聴者に提供することもできる。
【００７７】
前述のリアルタイム視聴者情報管理部１３０、関連サービス情報管理部１４０、関心グループ管理部、ソーシャルコマース管理部などを含み、チェックイン細部情報を生成して管理する構成部によって生成されたり更新された情報が、ＴＶ放送コンテンツ共有サーバ１００に登録された視聴者と係わって、生成、変更、更新される場合、視聴者別個人情報管理部１２０と連動して、視聴者別個人情報管理部１２０に保存された個人情報が生成、変更、更新されもする。
【００７８】
さらに、ＴＶ視聴者がチェックインによる活動によって、ＴＶ視聴者の個人情報が更新され、視聴者別個人情報管理部１２０に新たに保存される。
【００７９】
一実施形態によるＴＶ放送コンテンツ共有サーバ１００は、ＴＶ視聴者に、放送コンテンツを含む放送ストリームと共に、ＴＶ放送コンテンツの共有サービスのためのチェックイン細部情報を伝送することができる。
【００８０】
また、一実施形態によるＴＶ放送コンテンツ共有サーバ１００は、放送ストリーム送信主体とは別個に、ＴＶ放送コンテンツの共有サービスのためのチェックイン細部情報のみを伝送することもできる。
【００８１】
図２は、一実施形態によるソーシャル・ネットワークなどのネットワーク網１５０を介して、ＴＶ放送コンテンツ関連情報を受信するＴＶデバイス２００のブロック図を図示している。以下、説明の便宜のために、「ソーシャル・ネットワーク網を介して、ＴＶ放送コンテンツ関連情報を受信するＴＶデバイス」を「ＴＶデバイス」と縮約して指し示す。
【００８２】
一実施形態によるＴＶデバイス２００は、ネットワーク網１５０を介して、ＴＶ放送コンテンツ共有サーバ１００から、複数のＴＶ視聴者に提供される放送コンテンツ関連情報を受信する。一実施形態によるＴＶデバイス２００は、ソーシャル・ネットワーク網を含み、ネットワーク網１５０を介して、ＴＶ放送コンテンツ共有サーバ１００によって提供されるＴＶ放送共有サービスを受信することができる。
【００８３】
一実施形態によるＴＶデバイス２００は、放送ストリームを受信する放送受信部（２１０）、ＴＶ視聴者から各種要請を入力される視聴者インターフェース部２２０、及びＴＶ放送コンテンツをディスプレイするディスプレイ部２５０を含む。また、ＴＶデバイス２００は、ＴＶ放送コンテンツの共有サービスと係わって、チェックイン要請部２３０及びチェックイン細部情報受信部２４０をさらに含む。
【００８４】
ＴＶデバイス２００の放送受信部２１０、視聴者インターフェース部２２０、チェックイン要請部２３０、チェックイン細部情報受信部２４０及びディスプレイ部２５０は、ＴＶデバイス２００に搭載された中央演算装置、または連動された外部制御装置などの制御を介して、有機的に作動される。
【００８５】
一実施形態によるチェックイン要請部２３０は、複数のＴＶ視聴者に、放送コンテンツ関連情報を提供するためのＴＶ放送共有サービスに係わるＴＶデバイス２００のＴＶ視聴者のチェックイン要請を、視聴者インターフェース部２２０を介して入力される。チェックイン要請部２３０は、視聴者のチェックイン要請を、ＴＶ放送コンテンツ共有サーバ１００に伝送することができる。
【００８６】
一実施形態によるＴＶデバイス２００は、ＴＶ放送コンテンツ共有サーバ１００の視聴者別個人情報管理部１２０に、ＴＶ視聴者のＴＶデバイスとして登録されている。それにより、ＴＶデバイス２００は、ＴＶ放送コンテンツ共有サーバ１００によって、チェックインが受諾される。
【００８７】
ＴＶデバイス２００のチェックインが受諾されれば、一実施形態によるチェックイン細部情報受信部２４０は、ＴＶ放送コンテンツ共有サーバ１００から、ＴＶ視聴者によってチェックインされたコンテンツに係わるリアルタイム視聴者情報を受信することができる。また、チェックイン細部情報受信部２４０は、ＴＶ放送コンテンツ共有サーバ１００から、ＴＶ視聴者によってチェックインされたコンテンツと係わって、ソーシャル・ネットワーク内でアクセス可能な関連サービス情報を受信することができる。
【００８８】
一実施形態による視聴者インターフェース部２２０を介して、ＴＶ視聴者から、チェックインされたコンテンツと係わって、リアルタイムで生成される関連ＳＮＳ情報に係わる検索要請が入力されれば、ＴＶデバイス２００は、リアルタイム関連ＳＮＳ情報の検索要請を、ＴＶ放送コンテンツ共有サーバ１００に伝送することができる。チェックイン細部情報受信部２４０は、ＴＶ放送コンテンツ共有サーバ１００から、検索されたリアルタイム関連ＳＮＳ情報を受信することができる。
【００８９】
一実施形態による視聴者インターフェース部２２０を介して、ＴＶ視聴者から、チェックインされたコンテンツと係わって、リアルタイムで関連ＳＮＳ情報の発行要請が入力されれば、ＴＶデバイス２００は、リアルタイム関連ＳＮＳ情報発行要請を、ＴＶ放送コンテンツ共有サーバ１００に伝送することができる。チェックイン細部情報受信部２４０は、現在のＴＶ視聴者の個人ＳＮＳアカウントに、チェックインされたコンテンツと係わる関連ＳＮＳ情報の連結結果情報を受信することができる。
【００９０】
一実施形態によるチェックイン細部情報受信部２４０は、チェックインされたコンテンツと係わって、前記ソーシャル・ネットワーク内で、コンテンツと密接な関連性のある対象についての推薦情報を受信することができる。
【００９１】
一実施形態によるＴＶデバイス２００は、視聴者インターフェース部２２０を介して、ＴＶ視聴者から、チェックインされたコンテンツと係わる細部情報の検索要請を入力され、ＴＶ放送コンテンツ共有サーバ１００に伝送することができる。また、視聴者インターフェース部２２０を介して、ＴＶ視聴者の個人ＳＮＳアカウントに、チェックインされたコンテンツの細部情報に係わる個人ポスティングの掲示要請が入力されれば、ＴＶ放送コンテンツ共有サーバ１００に伝送することができる。
【００９２】
また、一実施形態によるＴＶデバイス２００は、ＴＶ視聴者から、チェックインされたコンテンツに係わる放送参与用文字申請を入力され、ＴＶ放送コンテンツ共有サーバ１００に伝送することができる。それにより、チェックイン細部情報受信部２４０は、ＴＶ放送コンテンツ共有サーバ１００から、文字申請された文字情報のうち、フィルタリングされて放送参与が可能な文字情報を、ティッカ形態で受信することができる。
【００９３】
一実施形態によるチェックイン細部情報受信部２４０は、ＴＶ放送コンテンツ共有サーバ１００から、チェックインされたコンテンツ基盤のソーシャル・コミュニティ・サービスを受信することもできる。また、チェックイン細部情報受信部２４０は、ソーシャル・コミュニティと連動するコンテンツと係わる公式情報を受信することもできる。
【００９４】
一実施形態によるＴＶデバイス２００は、チェックインされたコンテンツに係わるリアルタイム・コメント掲載要請をＴＶ視聴者から入力され、ＴＶ放送コンテンツ共有サーバ１００に伝送することができる。
【００９５】
また、ＴＶデバイス２００は、ＴＶ放送コンテンツ共有サーバ１００から、ＴＶ視聴者及びリアルタイム視聴者のリアルタイム・コメント情報を受信することができる。ＴＶデバイス２００は、リアルタイム・コメント情報に基づいた、視聴誘導サービス、コメント参与サービス及びコメント観覧サービスのうち少なくとも一つを含むコメントサービスを、ＴＶ放送コンテンツ共有サーバ１００から受信することもできる。
【００９６】
一実施形態によるＴＶデバイス２００は、チェックインされたコンテンツに係わるリアルタイム視聴者情報、関連サービス情報、関心グループ情報、ソーシャルコマース情報、リアルタイム・コメント情報などを含んだチェックイン細部情報のうち、ＴＶ視聴者に選択された項目だけが、ＴＶデバイス２００でディスプレイされるためのグラフィック・ユーザ・インターフェースを受信することができる。
【００９７】
また、ＴＶデバイス２００のディスプレイ部２５０は、チェックインされたコンテンツに係わる各種チェックイン細部情報のうち、ＴＶ視聴者に選択された項目のみを選別し、放送コンテンツと共にディスプレイすることもできる。
【００９８】
一実施形態によるチェックイン細部情報受信部２４０は、ＴＶ視聴者の関心対象視聴者を含む関心グループについて、現況情報を含む関心グループ情報を受信することもできる。
【００９９】
一実施形態によるＴＶデバイス２００は、ＴＶ視聴者から、関心対象視聴者のうち、第１視聴者に係わる同時視聴申請情報を入力され、ＴＶ放送コンテンツ共有サーバ１００に伝送することができる。それにより、ＴＶデバイス２００は、同時視聴申請について受諾した第１視聴者とＴＶ視聴者との間に、チェックインされたコンテンツに係わる意見共有サービスを、ＴＶ放送コンテンツ共有サーバ１００から受信することもできる。
【０１００】
一実施形態によるＴＶデバイス２００は、同時視聴申請について受諾した第１視聴者とＴＶ視聴者とが、チェックインされたコンテンツを視聴しながら、チャット、イモティコン、音声文字及び画像チャットのうち少なくとも１つのサービスを介して、意見共有サービスを受信することもできる。
【０１０１】
一実施形態によるＴＶデバイス２００は、ＴＶ視聴者から、関心対象視聴者のうち選択した第１視聴者との画像チャット申請を入力され、ＴＶ放送コンテンツ共有サーバ１００に伝送することができる。また、ＴＶデバイス２００は、画像チャットを受諾した第１視聴者とＴＶ視聴者との画像チャット中に、所定コンテンツに係わる共有要請を入力され、ＴＶ放送コンテンツ共有サーバ１００に伝送することもできる。それにより、チェックイン細部情報受信部２４０は、ＴＶ放送コンテンツ共有サーバ１００から、画像チャットを介して共有要請されたコンテンツに係わる共有サービスを受信することができる。
【０１０２】
一実施形態によるチェックイン細部情報受信部２４０は、チェックインされたコンテンツに係わるアイテム、つまりＴＶ視聴者の関心対象視聴者及びリアルタイム視聴者のうち、少なくとも１人の視聴者が購買した履歴、購買後の意見及び購買現況のうち、少なくとも一つを含むソーシャルコマース情報を、ＴＶ放送コンテンツ共有サーバ１００から受信することもできる。
【０１０３】
一実施形態によるチェックイン細部情報受信部２４０は、ＴＶ視聴者の関心対象視聴者及びリアルタイム視聴者のうち、ＴＶデバイス２００が位置した地域に登録された少なくとも１人の視聴者から収集した地域情報を、ＴＶ放送コンテンツ共有サーバ１００から受信することもできる。
【０１０４】
ディスプレイ部２５０は、チェックインされたコンテンツに係わるリアルタイム視聴者情報及び関連サービス情報などを含むチェックイン細部情報を、受信された放送ストリームから抽出された放送コンテンツと共にディスプレイすることができる。
【０１０５】
図３は、一実施形態によるソーシャル・ネットワーク網を介して、ＴＶ放送コンテンツ関連情報を受信するスマートデバイス３００のブロック図を図示している。
【０１０６】
以下、説明の便宜のために、「ソーシャル・ネットワーク網を介して、ＴＶ放送コンテンツ関連情報を受信するスマートデバイス」を「スマートデバイス」と縮約して指し示す。
【０１０７】
一実施形態によるスマートデバイス３００は、ネットワーク網１５０を介して、ＴＶ放送コンテンツ共有サーバ１００から、複数のＴＶ視聴者に提供される放送コンテンツ関連情報を受信する。一実施形態によるスマートデバイス３００は、ソーシャル・ネットワークを含み、ネットワーク網１５０を介して、ＴＶ放送コンテンツ共有サーバ１００によって提供されるＴＶ放送共有サービスを受信することができる。
【０１０８】
スマートデバイスは、ＴＶデバイス２００を所有したＴＶ視聴者の携帯電話、スマートフォン、ラップトップ、ｅブックなどのモバイルデバイスまたは補助デバイスだけではなく、ＴＶデバイス２００ではない他のＴＶデバイスであってもよい。
【０１０９】
一実施形態によるスマートデバイス３００は、ＴＶ視聴者から各種要請を入力される視聴者インターフェース部３２０を含み、ＴＶ放送コンテンツの共有サービスと係わって、チェックイン要請部３３０及びチェックイン細部情報受信部３４０をさらに含む。また、スマートデバイス３００は、チェックイン細部情報をディスプレイするディスプレイ部３５０を含む。
【０１１０】
スマートデバイス３００の視聴者インターフェース部３２０、チェックイン要請部３３０、チェックイン細部情報受信部３４０及びディスプレイ部３５０は、スマートデバイス３００に搭載された中央演算装置、または連動された外部制御装置などの制御を介して有機的に作動される。
【０１１１】
一実施形態によるチェックイン要請部３３０は、ＴＶ放送共有サービスに係わるＴＶ視聴者のチェックイン要請を、視聴者インターフェース部３２０を介して入力される。チェックイン要請部３３０は、ＴＶ視聴者のチェックイン要請を、ＴＶ放送コンテンツ共有サーバ１００に伝送することができる。
【０１１２】
一実施形態によるスマートデバイス３００は、ＴＶ放送コンテンツ共有サーバ１００の視聴者別個人情報管理部１２０に、ＴＶ視聴者のスマートデバイス、またはＴＶデバイスの補助デバイスとして登録されている。それにより、スマートデバイス３００は、ＴＶ放送コンテンツ共有サーバ１００によって、チェックインが受諾される。
【０１１３】
スマートデバイス３００のチェックインが受諾されれば、一実施形態によるチェックイン細部情報受信部３４０は、ＴＶ放送コンテンツ共有サーバ１００から、ＴＶ視聴者によってチェックインされたコンテンツに係わるリアルタイム視聴者情報及び関連サービス情報などのチェックイン細部情報を受信することができる。
【０１１４】
それだけではなく、ＴＶデバイス２００のチェックイン細部情報受信部２４０と同様に、スマートデバイス３００のチェックイン細部情報受信部３４０は、ＴＶ放送コンテンツ共有サーバ１００から、チェックインされたコンテンツの共有サービスと係わって、関心グループ情報、ソーシャルコマース情報、リアルタイム・コメント利用サービス情報などを受信することができる。
【０１１５】
また、ＴＶデバイス２００の視聴者インターフェース部２２０と同様に、スマートデバイス３００の視聴者インターフェース部３２０は、視聴者の各種チェックイン関連要請を入力され、ＴＶ視聴者の各種要請を、スマートデバイス３００を介して、ＴＶ放送コンテンツ共有サーバ１００に伝達することができる。
【０１１６】
一実施形態によるスマートデバイス３００のディスプレイ部３５０は、ＴＶ視聴者のＴＶデバイス２００にディスプレイされる放送コンテンツに係わり、チェックイン細部情報及びチェックインされたコンテンツに係わるＳＮＳ情報をディスプレイすることができる。
【０１１７】
以下、図４ないし図２２を参照して、一実施によるＴＶ放送コンテンツ共有サーバ１００が提供するＴＶ放送共有サービスに係わるＴＶ視聴者のＴＶデバイス２００またはスマートデバイス３００のチェックインを介して、ＴＶ放送共有サービスが、ＴＶデバイス２００上、またはスマートデバイス３００上で具現される各種実施形態について説明する。
【０１１８】
図４は、一実施形態によるＴＶ放送共有サービス管理サーバ１００によって提供されるＴＶ放送共有サービスにチェックインした場合、可能なＴＶコンテンツの共有実施形態を図示している。
【０１１９】
ＴＶ視聴者は、ＴＶデバイス２００またはスマートデバイス３００を介して、ＴＶ放送コンテンツ共有サーバ１００が提供するＴＶ放送共有サービスに対してチェックインすることができる（４１０）。放送コンテンツに対してチェックインされるか、あるいは放送コンテンツのうち所定対象に対してチェックインされる。ＴＶ放送共有サービスを介して、ＴＶ視聴者間にチェックインされた対象について情報が共有される。以下、ＴＶ放送コンテンツに対してチェックインされた場合の各種共有実施形態について説明する。
【０１２０】
共有実施形態４２０によれば、ＴＶ放送コンテンツに対してチェックインが完了すれば、ＴＶデバイス２００またはスマートデバイス３００を介して、同一コンテンツを視聴している視聴者の人数が表示される。また、ＴＶ放送共有サービスを介して、コンテンツに係わる視聴者の選好度が分析されもする。例えば、現在チェックインされたコンテンツが、スポーツ競技コンテンツであるならば、視聴者が応援するチームについての情報が、ＴＶ放送コンテンツ共有サーバ１００に保存される。現在チェックインされたコンテンツが、音楽番組コンテンツであるならば、視聴者が好む歌手についての情報が、ＴＶ放送コンテンツ共有サーバ１００に保存される。
【０１２１】
また、視聴者別に分析された選好度情報は、コンテンツと共にチェックインされた視聴者に提供される。例えば、スポーツ競技コンテンツまたは音楽番組コンテンツであるならば、現在番組を視聴するチェックインされた視聴者の選好度情報に基づいて、コンテンツ再生画面と共に、チーム（選手）または歌手を好むファンの人数を比較する付随情報画面が、ＴＶデバイス２００またはスマートデバイス３００に表示される。共有実施形態４２０は、図１、図２、図３を参照して説明した前述のリアルタイム視聴者情報の一例である。
【０１２２】
共有実施形態４３０によれば、現在のＴＶ視聴者は、ＴＶ放送共有サービスに共に登録された友人に、現在のＴＶ視聴者がチェックインされたコンテンツを推薦することができる。また、現在のＴＶ視聴者の推薦によって、コンテンツを視聴することにした友人の人数が、コンテンツ再生画面と共に、ＴＶデバイス２００またはスマートデバイス３００に表示される。共有実施形態４３０の友人は、図１、図２、図３を参照して説明した前述の関心対象視聴者であり、共有実施例４３０は、関心グループ情報が利用された一例である。
【０１２３】
共有実施形態４４０によれば、チェックインされたコンテンツから、主要キーワードが抽出されてＴＶ視聴者に提供される。また、連動されたソーシャル・ネットワーク内で、ＴＶ視聴者が、チェックインされたコンテンツの主要キーワードへのリアルタイムの関心または検索頻度が高くなる場合、コンテンツ再生画面と共に、当該主要キーワードが、ＴＶデバイス２００またはスマートデバイス３００に表示される。共有実施形態４４０は、図１、図２、図３を参照して説明した関連サービス情報が利用された一例である。
【０１２４】
共有実施形態４５０によれば、チェックインされたコンテンツがシリーズ物であるならば、ＴＶ視聴者の連続した参与度情報が分析されてＴＶ視聴者に提供される。ＴＶ視聴者の参与度が高いほど、コンテンツに係わるソーシャル・コミュニティ内で権限が上昇したり、あるいは活動範囲が広くなるというような恩恵が付与されもする。例えば、チェックインされたコンテンツについて、参与度が最も高い場合、マスター（master）視聴者になることができる。マスター視聴者は、当該コンテンツについて、個人中継が可能である。また、ＴＶ視聴者の参与度の高いシリーズ物については、自動視聴予約機能または視聴推薦機能などが提供されもする。共有実施形態４５０は、図１、図２、図３を参照して説明した視聴者別個人情報が利用された一例である。
【０１２５】
共有実施形態４６０によれば、ＴＶ視聴者がチェックインしたコンテンツと同一コンテンツを視聴している友人についての情報が提供される。ＴＶ放送共有サービスは、ＴＶ視聴者が、友人に同一コンテンツを共に視聴して意見を共有することができるように、同時視聴サービスを提供することができる。ＴＶ放送共有サービスを介して、ＴＶ視聴者は、友人に同時視聴サービスを招待したり、推薦したり、友人の招待を受諾することもできる。共有実施形態４６０は、図１、図２、図３を参照して説明した関心グループ情報が利用された一例である。
【０１２６】
図５及び図６は、それぞれ一実施形態によるＴＶ放送共有サービスにチェックインする前の画面、及びチェックインした後の初期画面を例示している。
【０１２７】
ＴＶ視聴者５００が、ＴＶデバイス２００を介してＴＶ放送視聴中にチャネルを切り替える場合、新しいコンテンツ５１０が再生されながら、現在コンテンツ５１０に対してチェックインした視聴者数情報を表示する補助窓５２０が再生される。また、ＴＶデバイス２００にチェックインを誘導するチェックイン誘導情報５３０が表示されもする。現在コンテンツ５１０に対してチェックインした視聴者数情報、またはチェックイン誘導情報は、ＴＶ放送共有サービスによって提供される。一実施形態による補助窓５２０またはチェックイン誘導情報５３０は、視聴者設定または自動的に、画面上で消滅する。
【０１２８】
ＴＶ視聴者５００がチェックインを要請して受諾されれば、ＴＶデバイス２００は、ＴＶ放送コンテンツ共有サーバ１００から、チェックイン細部情報を受信することができる。ＴＶデバイス２００は、コンテンツ５１０を再生しながら、共有情報表示窓６２０に受信されたチェックイン細部情報をディスプレイすることができる。例えば、チェックイン後、共有情報表示窓６２０に表示される共有情報初期画面は、現在コンテンツ５１０に対してチェックインした視聴者の総数項目６３０、現在コンテンツ５１０の友人リスト項目６４０、参与度項目６５０、関連情報項目６６０，６７０及び投票項目６８０を含んでもよい。
【０１２９】
図７、図８、図９及び図１０は、それぞれ一実施形態によるＴＶ放送共有サービスにチェックイン細部情報のうち、友人リスト項目６４０、参与度項目６５０及び関連情報項目６６０，６７０及び投票項目６８０の選択画面を例示している。
【０１３０】
まず、ＴＶ視聴者５００によって共有情報初期画面のうち、友人リスト項目６４０が選択される場合、ＴＶ放送コンテンツ共有サーバ１００は、ＴＶ視聴者５００の関心対象視聴者、すなわち、友人のうち、現在コンテンツ５１０を視聴している友人の視聴現況情報７２０を伝送することができる。それにより、ＴＶデバイス２００の共有情報表示窓６２０には、現在コンテンツ５１０を視聴している友人が照会され、各友人の視聴現況情報７２０が表示される。
【０１３１】
例えば、友人の視聴現況情報７２０を介して、各友人の参与度、同時視聴可能性及びチャット可能性についての情報が確認される。コンテンツに係わる参与度は、コンテンツ放送中のチェックイン回数の比率、出席率などでも表示される。
【０１３２】
ＴＶ視聴者５００によって、共有情報初期画面のうち、参与度項目６５０が選択される場合、ＴＶ放送コンテンツ共有サーバ１００は、現在コンテンツ５１０に対してチェックインした視聴者のうち、参与度が最も高いマスター視聴者と、参与度が上位圏である優秀視聴者とのリスト、及び現在視聴者の参与度情報８２０を伝送することができる。それにより、ＴＶデバイス２００の共有情報表示窓６２０には、現在コンテンツ５１０に係わるマスター視聴者と優秀視聴者とのリスト、そして現在視聴者の参与度情報８２０が表示される。
【０１３３】
参与度情報を介して、ＴＶ視聴者間の競争心が誘発され、さらに頻繁にチェックインするための動機が付与され、ＴＶ放送コンテンツの共有サービスに積極的な参与が誘導される。
【０１３４】
ＴＶ視聴者５００によって、共有情報初期画面のうち、関連情報検索項目６６０が選択される場合、ＴＶ放送コンテンツ共有サーバ１００は、現在コンテンツ５１０と係わって、ソーシャル・ネットワークで、リアルタイムで生成されるＳＮＳ情報９２０を検索して伝送することができる。それにより、ＴＶデバイス２００の共有情報表示窓６２０には、現在コンテンツ５１０について、リアルタイムで生成されたＳＮＳ情報９２０が表示される。例えば、現在コンテンツ５１０と係わって、ＳＮＳで利用されるリアルタイム番組を検索して結果がディスプレイされる。
【０１３５】
また、ＴＶ視聴者５００によって、共有情報初期画面のうち、関連情報発行項目６７０が選択される場合、ＴＶ視聴者５００の個人ＳＮＳアカウント、例えば、ツイッター、フェースブックの個人アカウントに、リアルタイムで生成されたＳＮＳ情報９２０が登録されもする。
【０１３６】
ＴＶ視聴者５００によって、共有情報初期画面のうち、投票項目６８０が選択される場合、ＴＶ放送コンテンツ共有サーバ１００は、現在コンテンツ５１０と係わって、視聴者間に、リアルタイム投票情報１０２０が伝送される。それにより、ＴＶデバイス２００の共有情報表示窓６２０には、現在コンテンツ５１０に対するリアルタイム投票情報１０２０によって、リアルタイム投票窓が表示される。
【０１３７】
一実施形態によって、ＴＶ視聴者の投票結果として生じる選好／非選好情報は、メタデータに保存され、ＴＶ放送コンテンツ共有サーバ１００に伝送される。ＴＶ放送コンテンツ提供者と提携して、放送コンテンツに係わる投票サービスが拡張されて多様に利用されもする。
【０１３８】
図１１は、一実施形態によるＴＶ放送共有サービスにチェックインしたＴＶデバイスと、補助スマートデバイスとの一使用例を図示している。
【０１３９】
ＴＶ視聴者１１００は、ＴＶデバイス２００及びスマートデバイス３００をいずれも所持することができる。スマートデバイス３００は、ＴＶデバイス２００のＴＶコンテンツ共有サービスを活用するのに、補助デバイスとして利用される。
【０１４０】
例えば、ＴＶ視聴者１１００は、ＴＶデバイス２００を介して、すでにＴＶコンテンツ共有サービスに対してチェックインした状態で、コンテンツ１１１０を視聴している。ＴＶ視聴者１１００は、スマートデバイス３００を利用しても、ＴＶコンテンツ共有サービスに対してチェックインすることができる。
【０１４１】
ＴＶ視聴者１１００が、ＴＶデバイス２００を介して、現在視聴中である放送コンテンツ１１１０についての情報は、ＴＶ放送コンテンツ共有サーバ１００によって、ソーシャル・ネットワーク網で共有されるので、チェックインされたスマートデバイス３００は、ＳＮＳを介して、ＴＶ視聴者１１００が現在視聴中である放送コンテンツ１１１０についての情報を確認することができる。
【０１４２】
従って、ＴＶ視聴者１１００は、ＴＶデバイス２００で放送コンテンツ１１１０を視聴しながら、チェックインされたスマートデバイス３００で現在視聴中である放送コンテンツ１１１０に係わる共有情報１１２０を確認することができる。
【０１４３】
一実施形態によるスマートデバイス３００で再生される共有情報１１２０が、全てのチェックイン細部情報を含んでもよい。例えば、現在放送コンテンツ１１１０を視聴している友人リスト機能、友人との意見共有機能、選好度／投票参与機能、同時視聴機能及び他のコンテンツを視聴中である友人照会機能などのチェックイン細部情報は、スマートデバイス３００によって提供され、ＴＶデバイス２００は、放送コンテンツ１１１０のみ再生することもできる。
【０１４４】
または、スマートデバイス３００も、チェックインされているとはいっても、ＴＶデバイス２００は、棒グラフ、色表示などの簡単な表示１１３０を利用して、放送コンテンツ１１１０に対して現在までチェックインした視聴者の人数、同一の放送コンテンツ１１１０を視聴している友人の人数、関係者情報などのリアルタイム情報を表示することもできる。
【０１４５】
図１２及び図１３は、それぞれ一実施形態によって、チェックインされたコンテンツと係わって、推薦情報を提供する画面を例示している。
【０１４６】
ＴＶ視聴者１２００が、現在コンテンツ１２１０に対してチェックインした場合、ＴＶ放送コンテンツ共有サーバ１００は、チェックインされたコンテンツ１２１０の登場人物に係わる推薦情報１２２０を提供することができる。
【０１４７】
例えば、現在コンテンツ１２１０に、多数の登場人物が登場する場合、それぞれの登場人物に対するチェックインを誘導するように、推薦情報１２２０が画面上に表示される。または、推薦情報１２２０は、登場人物に係わる公式ウェブサイト情報、またはＳＮＳアカウント情報を含んでもよい。
【０１４８】
または、推薦情報１２２０は、登場人物が出演する他の放送コンテンツについての情報を含んでもよい。また、現在コンテンツ１２１０の制作会社に係わる公式ウェブサイト情報、またはＳＮＳアカウント情報が推薦情報１２２０に含まれてもよい。
【０１４９】
一実施形態によれば、ＴＶ視聴者１２００のログ（log）情報が、ＴＶ放送コンテンツ共有サーバ１００に伝送される。ＴＶ放送コンテンツ共有サーバ１００は、ＴＶ視聴者１２００のログ情報を自動的に登場人物とマッピングし、個人情報に保存することができる。
【０１５０】
ＴＶ視聴者１２００の現在コンテンツ１２１０に対するチェックイン動作のみで、チェックインコンテンツが、現在コンテンツ１２１０と関連性の高い他のコンテンツまたは対象と共にグループ形成されるので、ＴＶ視聴者１２００は、新たに形成されたグループに係わる幅広いＳＮＳ情報または放送情報を獲得することができる。
【０１５１】
放送コンテンツが、スポーツ競技コンテンツ１３１０である場合、ＴＶ視聴者のスポーツチームまたは選手に係わる選好度が明らかであることが一般的である。従って、ＴＶ放送コンテンツ共有サーバ１００は、ＴＶ視聴者から、スポーツカテゴリー別に、好むチームまたは選手についての情報を分析することができる。
【０１５２】
また、ＴＶ放送コンテンツ共有サーバ１００は、スポーツ放送コンテンツに係わるＴＶ視聴者の選好度情報に基づいて、推薦放送コンテンツ、コミュニティ、関連ＳＮＳ情報、ショッピング情報などの関連サービスを提供することができる。
【０１５３】
例えば、ＴＶ視聴者が、スポーツ競技コンテンツ１３１０に対してチェックインする場合、ＴＶ放送コンテンツ共有サーバ１００は、選好度の調査窓１３２０を介して、現在競技が、好むチームまたは選手の競技であるか否かを問うことができる。ＴＶ視聴者が肯定を表示すれば（１３３０）、ＴＶ放送コンテンツ共有サーバ１００は、現在競技のチーム、または選手のうち好む選手を問うことができる（１３４０）。ＴＶ視聴者が所定チームまたは選手を選択すれば、ＴＶ放送コンテンツ共有サーバ１００は、選択結果に基づいて、関連サービスを検索することができる。例えば、ＴＶ放送コンテンツ共有サーバ１００は、ＴＶ視聴者が応援するチームまたは選手が出場する次の競技の放送日程情報１３６０を提供したり、あるいは所定チームまたは選手に係わる応援文言情報１３７０を放送コンテンツと共に再生させることができる。
【０１５４】
図１４は、一実施形態によるＴＶ放送共有サービスが提供するコンテンツ基盤のコミュニティ・サービスの画面を例示している。
【０１５５】
一実施形態によるＴＶ放送コンテンツ共有サーバ１００は、ＴＶ放送コンテンツ基盤のコミュニティ情報をＴＶ視聴者に提供することができる。
【０１５６】
例えば、ＴＶ放送コンテンツ共有サーバ１００は、放送コンテンツ１４１０に係わるコミュニティ１４３０を運営し、放送コンテンツ１４１０に対してチェックインした視聴者も、コミュニティ１４３０を閲覧することができる。放送コンテンツ１４１０に係わるコミュニティ１４３０は、放送コンテンツの題目、出演陣、制作陣、背景音楽などのコンテンツ属性を基準に生成される。
【０１５７】
一実施形態による放送コンテンツ１４１０に係わるコミュニティ１４３０は、放送コンテンツ１４１０に係わる付随項目１４６０、例えば、「Members（出演陣情報）」、「Profile（コンテンツ情報）」などを提供することもできる。
【０１５８】
付随項目１４６０のうち、「Communities」項目を介しても、多様な掲示板サービスが提供される。コミュニティ１４３０の掲示板サービスは、放送コンテンツ１４１０に係わって信頼度の高い関係者（出演陣、制作陣、専門家）の掲示物が掲示される専門掲示板１４４０と、一般掲示物が掲示される一般掲示板１４５０とに区分される。放送コンテンツ１４１０の再生画面には、専門掲示板１４４０の掲示物データだけがフィルタリングされ、ティッカ１４２０が再生される。
【０１５９】
コミュニティ１４３０は、放送コンテンツ１４１０に係わる他の掲示板と連動されもする。ＴＶ放送コンテンツ共有サーバ１００によって提供されるコミュニティは、コミュニティ間に相互推薦することもできる。
【０１６０】
図１５は、一実施形態によるＴＶ放送共有サービスが提供するリアルタイム・コメント利用サービスの画面を例示している。
【０１６１】
ＴＶ視聴者は、放送コンテンツを視聴した後、視聴意見及び放送所感をリアルタイム・コメントを介して共有することができる。それにより、ＴＶ放送コンテンツ共有サーバ１００は、チェックインされたＴＶ視聴者から、リアルタイム・コメント掲示要請を受信することができる。また、ＴＶ放送コンテンツ共有サーバ１００は、ＴＶ視聴者のリアルタイム・コメントを利用して、ＴＶ視聴者のリアルタイム・コメント照会サービスだけではなく、視聴率比較サービス及びコメント順位選定サービスなどを含むリアルタイム・コメント利用サービスを提供することもできる。
【０１６２】
例えば、ＴＶデバイス２００は、ＴＶ放送コンテンツ共有サーバ１００から、リアルタイム・コメント利用サービスを受信し、現在コンテンツ１５１０の再生画面に重畳し、リアルタイム・コメント基盤視聴率表示窓１５２０、リアルタイム・コメント順位表示窓１５３０及びリアルタイム・コメント表示窓１５４０を表示することができる。
【０１６３】
例えば、リアルタイム・コメント基盤視聴率表示窓１５２０は、リアルタイム・コメント参与が活発な順序によって、放送チャネルリストを表示することができる。ＴＶ視聴者の選択によって、選択チャネルでチャネルが転換されもする。
【０１６４】
例えば、リアルタイム・コメント順位表示窓１５３０は、全体コメントのうち、照会数または推薦数が高い順位から、コメントリストを表示することができる。コメント参与の競争心を誘発させ、ＴＶ視聴者の活発なコメント参与を誘導することができる。
【０１６５】
例えば、リアルタイム・コメント表示窓１５４０は、現在放送コンテンツ１５１０に係わるリアルタイム・コメントを表示することができる。
【０１６６】
図１６、図１７及び図１８は、それぞれ一実施形態によるＴＶ放送共有サービスが図示された視聴者インターフェース画面を図示している。
【０１６７】
ＴＶ放送コンテンツ共有サーバ１００は、ＴＶ視聴者が快適に放送コンテンツ１６００を視聴するように、できる限りＴＶ視聴者の視聴を妨害しない範囲で、ＴＶ共有情報及びチェックイン細部情報を表示させるグラフィック・ユーザ・インターフェースを提供することができる。また、ＴＶデバイス２００が、ＴＶ放送コンテンツ共有サーバ１００から受信したＴＶ共有情報及びチェックイン細部情報を、ＴＶ視聴者の視聴を妨害しない範囲で、ディスプレイすることができるように、自体としてグラフィック・ユーザ・インターフェースを構成することもできる。
【０１６８】
例えば、図１６のグラフィック・ユーザ・インターフェースは、ＴＶ視聴者の放送コンテンツ１６００を視聴するように、放送視聴を最大限妨害しないように、最小サイズのチェックイン細部情報窓１６１０に、最小限項目のアイコン１６２０，１６３０，１６４０，１６５０のみが表示された、ＴＶ放送視聴画面を例示している。アイコン１６２０，１６３０，１６４０，１６５０のうち一つが選択されれば、当該アイコンに係わる内容が表示されたポップアップ窓１６２５，１６３５，１６４５，１６５５が一つずつ開かれる格好である。その場合、チェックイン細部情報窓１６１０に表示される項目は、ＴＶ視聴者によって設定される。
【０１６９】
図１７のグラフィック・ユーザ・インターフェースは、ソーシャル・ネットワーク基盤のＴＶコンテンツ共有サービスに対してチェックインされた場合のメインメニューを例示している。チェックインされた放送コンテンツ１６００の再生画面の下端に、ＳＮＳ情報を含んだチェックイン細部情報窓１７１０が位置し、必須項目のアイコン１６２０，１６３０，１６４０，１６５０，１６６０，１６７０，１６８０が表示される。アイコン１６２０，１６３０，１６４０，１６５０，１６６０，１６７０，１６８０のうち一つが選択されれば、放送コンテンツ１６００の再生画面の右側窓１７２０に、選択されたアイコンの項目に係わる内容が表示される。例えば、ＳＮＳを介して、他のＴＶ視聴者の意見が共有される。
【０１７０】
図１８のグラフィック・ユーザ・インターフェースは、ソーシャル・ネットワーク基盤のＴＶコンテンツ共有サービスに対してチェックインされたＴＶ視聴者の積極的参与を誘導するための、参与補償メニューを例示している。チェックインされた放送コンテンツ１６００の再生画面の下端には、チェックイン・メインメニューと同一のチェックイン細部情報窓１７１０が位置し、放送コンテンツ１６００の再生画面の右側窓１８２０に、チェックイン回数順位、マスター視聴者、現在のＴＶ視聴者の勲章・クーポンなどが表示される。
【０１７１】
図１９は、一実施形態によるＴＶ放送共有サービスが提供する他の視聴者細部情報を図示している。
【０１７２】
一実施形態によるチェックイン細部情報のうち、関心グループ情報の一種である友人リスト窓１９００は、現在のＴＶ視聴者の友人として登録されたＴＶ視聴者のアイコン１９１１，１９１２，１９１３と、最近視聴したコンテンツ情報１９２１，１９２２，１９２３とを図示することができる。例えば、友人のアイコン１９１１，１９１２，１９１３は、最近のチェックイン順序に羅列される。
【０１７３】
友人のアイコン１９１１，１９１２，１９１３のうち、所定アイコンが選択されれば、選択されたアイコン１９１１の視聴者に係わる細部情報窓１９１０が照会される。例えば、細部情報窓１９１０は、コンテンツカテゴリー別選好度グラフ、最近視聴コンテンツリスト、現在のＴＶ視聴者との共通趣向、選好度／非選好度情報などを含んでもよい。
【０１７４】
コンテンツのアイコン１９２１，１９２２，１９２３のうち、所定アイコン１９２２が選択されれば、選択されたアイコン１９２２のコンテンツに係わる細部情報窓１９２０が照会される。例えば、コンテンツ細部情報窓１９２０は、コンテンツの制作陣情報、出演陣情報、当該コンテンツにチェックインした友人情報、視聴予約ボタン、及び／または表示ボタンなどを含んでもよい。
【０１７５】
図２０及び図２１は、それぞれ一実施形態によるＴＶ放送共有サービスが提供する友人リスト画面及び放送コンテンツを共に視聴する友人との意見共有画面を例示している。
【０１７６】
ＴＶ視聴者は、放送コンテンツ２０１０視聴中に、友人と共に視聴したい場合、ＴＶ放送コンテンツ共有サーバ１００にチェックインを要請することができる。ＴＶ視聴者のチェックインを介して、すでにチェックインしている友人に、本人のチェックイン現況を知らせることもできる。
【０１７７】
ＴＶ視聴者は、ＴＶ放送コンテンツ共有サーバ１００に、関心グループ情報を要請して受信することができる。ＴＶデバイス２００は、関心グループ情報に基づいて、放送コンテンツ２０１０の再生画面に、関心対象視聴者の友人リスト２０２０を重畳して表示することができる。
【０１７８】
ＴＶ視聴者は、友人とのコンテンツ共有のために、同時視聴モードに転換することができる。ＴＶ視聴者は、友人リスト２０２０のうち、放送コンテンツ２０１０を共に視聴したい友人２０３０を選択して、「同時視聴」を申し込むことができる。友人２０３０が放送コンテンツ２０１０を視聴しているならば、ＴＶ視聴者は、単に「同時視聴」を要請することができる。友人２０３０が放送コンテンツ２０１０ではない他のコンテンツを視聴しているならば、ＴＶ視聴者は、友人２０３０に、現在コンテンツ２０１０の「同時視聴」を推薦することができる。
【０１７９】
友人２０３０から「同時視聴」が受諾されれば、「同時視聴」サービスが始まる。一実施形態による「同時視聴」サービスは、友人とコンテンツを共有しながら、コンテンツに係わる意見もリアルタイムで共有することができるサービスである。視聴者間の意見は、チャット、イモティコン、アバター、インターネット電話などで伝達することができる。例えば、ライブ放送またはＶＯＤ（video on demand）放送、写真コンテンツまたは音楽コンテンツのようなコンテンツ属性によって、意見共有方式も多様化される。
【０１８０】
現在コンテンツを共有したい友人がチェックインされていないのであるならば、チェックインした友人を検索し、現在友人がチェックインしているコンテンツにＴＶ視聴者が移動することができる。ＴＶ視聴者は、友人に、新しいコンテンツに係わる「同時視聴」を要請することができる。
【０１８１】
一実施形態による「同時視聴」サービスによる意見共有方式のうち一つであるチャット方式に従えば、ＴＶ視聴者は、友人と、ＴＶデバイス２００を介して、コンテンツを同時視聴しながら、スマートデバイス３００を利用して、文字を伝送することができる。
【０１８２】
また、一回に何人かの友人と１つのコンテンツ２１１０に係わる同時視聴が可能である。ＴＶデバイス２００のコンテンツ再生画面２１１０の側面に、同時視聴中である友人のアイコンまたはアバターの友人リスト窓２１２０が表示される。
【０１８３】
友人リストは、アイコンまたはアバターの色相で活性状態が表示される。また、友人が登場したり退場するとき、アイコンがあいさつする格好で活性化にされもする。友人の好感／非好感の感情は、手の表示が上／下を向く格好で表示されもする。友人の意見は、アイコン横にスピーチ風船が開かれながら、スピーチ風船内部に意見が表示される。
【０１８４】
友人から受信したチャット文字は、ＴＶデバイス２００のコンテンツ再生画面２１１０の下端のチャット窓２１３０に表示される。
【０１８５】
一実施形態による「同時視聴」サービスによる意見共有方式のうち１つであるイモティコンまたはアバターの方式に従えば、ＴＶ視聴者と友人は、ＴＶデバイス２００を介して、コンテンツを同時視聴しながら、コンテンツ再生画面２１１０上に、アニメーション効果を追加したり、あるいはチャット窓２１３０に感じたところを表現するイモティコン、友人のためのアイテムプレゼントなどを表示することができる。サードパーティ・デバイス、補助ＴＶ、ポータブルデバイスなどのスマートデバイス３００を利用して、コンテンツ再生画面２１１０上に絵を描いたり、文字を伝送することができる。
【０１８６】
一実施形態による「同時視聴」サービスによる意見共有方式のうち１つである音声文字に従えば、ＴＶ視聴者と友人は、ＴＶデバイス２００を介して、コンテンツを同時視聴しながら、ＴＶデバイス２００またはスマートデバイス３００と無線通信の可能なマイクが装着されたヘッドセットを着用し、音声チャットを介して、意見を共有することができる。ヘッドセットに装着されたマイクを介して入力された音声信号は、スマートデバイス３００を介して文字信号に変換され、ＴＶデバイス２００のチャット窓２１３０に表示される。
【０１８７】
また、ＴＶデバイス２００では、コンテンツ再生画面２１１０を視聴しながら、チェックイン細部情報及び友人との細部的な意見、感情などの感性共有情報は、スマートデバイス３００を介して確認することができる。ただし、登場及び退場、感嘆詞、投票などの簡単な活動は、ＴＶデバイス２００でも、コンテンツ再生画面２１１０と共に表示される。
【０１８８】
ＴＶデバイス２００は、画像チャット・アプリケーションを駆動することもできる。ＴＶ放送コンテンツ共有サーバ１００が提供するネットワーク網を介して、友人ＴＶ視聴者との間に、画像チャットが進められていて、共有を所望するコンテンツがある場合、ＴＶデバイス２００を介してコンテンツを再生し、友人と共有することもできる。写真、ビデオ、音楽、文書、暦、アプリケーション、放送コンテンツなどの多様なコンテンツが、画像チャット最中に共有される。
【０１８９】
一実施形態による画像チャットを介したコンテンツ共有は、Ｐ２Ｐ（peer-to-peer）方式、パーソナルクラウド方式、ホームネットワーク方式などが連動されたメッシュアップサービスを介して具現される。また、内蔵メモリ、オールシェア（all-share）型ホームネットワーク・システム、外装メモリ及びクラウドサーバに保存されたコンテンツの共有も可能である。
【０１９０】
図２２は、一実施形態によるＴＶ放送共有サービスが提供する放送コンテンツに係わるソーシャルコマース・サービスを例示している。
【０１９１】
ＴＶ視聴者は、ＴＶデバイス２００を利用して、放送コンテンツ２２１０を視聴している最中やその前後に、ＴＶ放送コンテンツ共有サーバ１００を介して、放送コンテンツ２２１０に係わる商品アイテム情報を受信することができる。ＴＶ視聴者によって、チェックイン細部情報窓２２２０において、ソーシャルコマース項目２２３０が選択されれば、コンテンツ関連商品窓２２５０に、放送コンテンツ２２１０の関連アイテムのリストが表示される。ＴＶ放送コンテンツ共有サーバ１００から、ＥＰＧ（electronic program guide）のメタデータ情報を介して、放送コンテンツ２２１０と関連したアイテム情報と、ＳＮＳを介して収集されたアイテム購買意見情報とが組み合わされ、放送コンテンツ２２１０と係わって、購買推薦可能なアイテムがコンテンツ関連商品窓２２５０に表示される。
【０１９２】
ＴＶ視聴者は、コンテンツ関連商品窓２２５０に羅列された商品に係わるクリックを行うことにより、容易に購買を完了することができる。
【０１９３】
また、コンテンツ関連商品窓２２５０に、ＳＮＳなど多数の過去チェックインされたＴＶ視聴者及びコミュニティ・グループの構成員の購買内訳情報が表示される。ＴＶ視聴者は、既存視聴者の購買価格と現在価格とを比較することもできる。
【０１９４】
また、コンテンツ関連商品窓２２５０に、ＳＮＳなど多数の過去チェックインされたＴＶ視聴者及びコミュニティ・グループの構成員の購買後の意見が表示される。ＴＶ視聴者は、商品広告に比べて、釣り合いが取れていて信頼度の高い既存視聴者の購買意見を参考して、購買決定が可能である。
【０１９５】
また、現在チェックインされた視聴者とコミュニティ構成員とのグループ購買などのソーシャルコマース活動が可能であるので、ＴＶ視聴者は、さらに低廉な価格で放送コンテンツ２２１０の関連アイテムを購買することもできる。
【０１９６】
また、ＴＶ視聴者のＴＶデバイス２００が位置した住居地に基づいて、ＴＶ視聴者の住居地にさらに適した商品情報の検索が容易である。
【０１９７】
一実施形態によるＴＶ放送コンテンツ共有サーバ１００は、ソーシャル・ネットワークを介して、ＴＶ視聴者の関心対象視聴者及びリアルタイム視聴者のうち、同一地域に居住する視聴者に地域情報を提供することができる。
【０１９８】
例えば、ＴＶ放送コンテンツ共有サーバ１００は、地域居住者のための地域情報を、カテゴリー別に提供することができる。例えば、公園／遊園地、地形、バー／クラブ、コーヒーショップ、食堂、宿泊施設、銀行／現金支給機、ガソリンスタンド、食料品店、主要商店、ビデオ／ＤＶＤ（digital versatile disc）貸与店、薬局、ショッピングセンター、消防署、病院、寺院、学校、交通施設などの細部カテゴリーがある。ＴＶ視聴者は、ＴＶ放送コンテンツ共有サーバ１００から提供された地域情報のカテゴリーのうち、所望するカテゴリーのみをチェックインし、当該カテゴリーに相応する情報を獲得することができる。
【０１９９】
例えば、ＴＶ放送コンテンツ共有サーバ１００から提供された地域情報のカテゴリーのうち、ＴＶ視聴者が病院にチェックインした場合、ＴＶ視聴者の住居周辺の全ての内科、小児科、歯科などの病院が表示され、各病院に係わる他のＴＶ視聴者の利用後の感想などが照会される。また、ソーシャル・ネットワークを介して、検索可能な簡単な医学情報が提供されながら、同一の症状の視聴者間のコミュニティがある場合、社会活動も可能である。
【０２００】
図２３は、一実施形態によるソーシャル・ネットワーク基盤のＴＶ放送コンテンツ共有方法のフローチャートを図示する。
【０２０１】
２３１０で、ＴＶ視聴者から、ＴＶ放送共有サービスに係わるチェックイン要請が受信される。ＴＶ放送コンテンツ共有サーバ１００に登録されたＴＶ視聴者個人情報に基づいて、チェックインいかんが受諾される。
【０２０２】
２３２０で、ＴＶ視聴者によってチェックインされたコンテンツについて、リアルタイムでチェックインしている視聴者に係わるリアルタイム視聴者情報が提供される。一実施形態によるリアルタイム視聴者情報は、チェックインされたコンテンツをリアルタイムで視聴しているチェックインされた他の視聴者の総数、それぞれのＴＶ視聴者の共同視聴または対話が可能であるか否かということ、前記チェックインされたコンテンツに係わるそれぞれのＴＶ視聴者の参与度、ＴＶ視聴者及び他の視聴者のうち上位参与度の視聴者のうち、少なくとも一人についての情報を含んでもよい。
【０２０３】
２３３０で、チェックインされたコンテンツと係わって、ソーシャル・ネットワーク内でアクセス可能な関連サービス情報が提供される。チェックインされたコンテンツと係わって、リアルタイムで生成される関連ＳＮＳ情報が検索され、ＴＶ視聴者に伝送される。
【０２０４】
一実施形態によって、ＴＶ視聴者から、チェックインされたコンテンツに係わる細部情報の検索要請が受信され、ＴＶ視聴者の個人ＳＮＳアカウントに、チェックインされたコンテンツと、検索された細部情報に係わる個人ポスティングの掲示要請とが受信される。
【０２０５】
ＴＶ視聴者のメインＴＶ以外に、補助スマートデバイスから、チェックイン要請が受信される。補助スマートデバイスにチェックイン要請されたコンテンツに係わるリアルタイム視聴者情報と、アクセス可能な関連サービス情報とを含むチェックイン細部情報が伝送される。
【０２０６】
コンテンツ基盤のソーシャル・コミュニティ・サービスが、コンテンツにチェックインした視聴者に提供される。ソーシャル・コミュニティと連動するコンテンツに係わる公式ウェブサイト、公式ＳＮＳ情報なども共に提供される。
【０２０７】
ＴＶ視聴者から、チェックインされたコンテンツに係わるリアルタイム・コメント情報が受信され、コメントサービスに基づいて、視聴誘導サービス、コメント参与サービス及びコメント観覧サービスのうち少なくとも一つが提供される。
【０２０８】
ＴＶ視聴者に、ＴＶ視聴者の関心対象視聴者を含む関心グループについて、関心対象視聴者のチェックイン状態、視聴中であるコンテンツなどに係わる現況情報を含む関心グループ情報が提供される。ＴＶ視聴者から、関心対象視聴者のうち、第１視聴者に係わる同時視聴申請情報が受信される。同時視聴申請について受諾した第１視聴者とＴＶ視聴者との間に、チェックインされたコンテンツに係わる意見共有サービスが提供される。
【０２０９】
ＴＶ視聴者の、チェックインされたコンテンツに係わるアイテムを購買した履歴、購買後の感想及び購買現況のうち少なくとも一つを含むソーシャルコマース情報が、ＴＶ視聴者に提供される。
【０２１０】
一実施形態によるＴＶ放送コンテンツ共有サーバ１００は、チェックイン細部情報またはＴＶ共有情報だけを管理するサーバであってもよい。他の実施形態によるＴＶ放送コンテンツ共有サーバ１００は、共有情報だけではなく、放送コンテンツを含む放送ストリームを伝送することもできる。
【０２１１】
図２４は、一実施形態によるＴＶデバイス２００によるソーシャル・ネットワーク基盤のＴＶ放送サービス受信方法のフローチャートを図示している。
【０２１２】
２４１０で、ＴＶデバイス２００に放送ストリームが受信される。
【０２１３】
２４２０で、ＴＶデバイス２００は、複数のＴＶ視聴者に、放送コンテンツ関連情報を提供するためのＴＶ放送共有サービスに係わるチェックイン要請を、ＴＶ視聴者から入力され、ＴＶ放送コンテンツ共有サーバ１００に伝送する。
【０２１４】
２４３０で、ＴＶ放送コンテンツ共有サーバ１００から、ＴＶ視聴者によってチェックインされたコンテンツについて、リアルタイムでチェックインしている視聴者に係わるリアルタイム視聴者情報が受信される。
【０２１５】
２４４０で、ＴＶ放送コンテンツ共有サーバ１００から、チェックインされたコンテンツと係わって、ソーシャル・ネットワーク内でアクセス可能な関連サービス情報が受信される。
【０２１６】
２４５０で、チェックインされたコンテンツに係わるリアルタイム視聴者情報及び関連サービス情報を含むチェックイン細部情報が、受信された放送ストリームから抽出された放送コンテンツと共にディスプレイされる。
【０２１７】
コンテンツと係わって、リアルタイムで生成される関連ＳＮＳ情報に係わる検索要請を、ＴＶ放送コンテンツ共有サーバ１００に伝送することができる。検索されたリアルタイム関連ＳＮＳ情報が受信される。
【０２１８】
チェックインされたコンテンツと係わって、ソーシャル・ネットワーク内で、コンテンツと密接な関連性のある対象についての推薦情報が、ＴＶ放送コンテンツ共有サーバ１００から受信される。
【０２１９】
チェックインされたコンテンツに係わる細部情報の検索要請がＴＶ放送コンテンツ共有サーバ１００に伝送され、ＴＶ視聴者の個人ＳＮＳアカウントに、前記チェックインされたコンテンツの細部情報に係わる個人ポスティングの掲示要請が伝送される。
【０２２０】
チェックインされたコンテンツに係わるリアルタイム・コメント掲載要請が、ＴＶ放送コンテンツ共有サーバ１００に伝送され、ＴＶ視聴者及びリアルタイム視聴者のリアルタイム・コメント情報が受信される。リアルタイム・コメントに基づいて、視聴誘導サービス、コメント参与サービス及びコメント観覧サービスのうち少なくとも一つが受信される。
【０２２１】
ＴＶ放送コンテンツ共有サーバ１００から、ＴＶ視聴者の関心グループ情報が受信される。関心対象視聴者のうち、第１視聴者に係わる同時視聴申請情報が、ＴＶ放送コンテンツ共有サーバ１００に伝送され、同時視聴申請に係わって受諾した第１視聴者とＴＶ視聴者との間に、チェックインされたコンテンツに係わる意見共有サービスが受信される。
ＴＶ視聴者から収集した、コンテンツに係わるアイテムの購買履歴、購買意見及び購買現況のうち、少なくとも一つを含むソーシャルコマース情報が、ＴＶ放送コンテンツ共有サーバ１００から受信される。
【０２２２】
図２５は、一実施形態におけるスマートデバイス３００によるソーシャル・ネットワーク基盤のＴＶ放送サービス受信方法のフローチャートを図示している。
【０２２３】
２５１０で、スマートデバイス３００が、複数のＴＶ視聴者に、放送コンテンツ関連情報を提供するためのＴＶ放送共有サービスに係わるチェックイン要請を、ＴＶデバイス２００を具備したＴＶ視聴者から入力され、ＴＶ放送コンテンツ共有サーバ１００に伝送する。
【０２２４】
２５２０で、ＴＶ放送コンテンツ共有サーバ１００から、ＴＶ視聴者によってチェックインされたコンテンツについて、リアルタイム視聴者情報が受信される。
【０２２５】
２５３０で、ＴＶ放送コンテンツ共有サーバ１００から、チェックインされたコンテンツと係わって、ソーシャル・ネットワーク内でアクセス可能な関連サービス情報が受信される。
【０２２６】
２５４０で、チェックインされたコンテンツに係わるリアルタイム視聴者情報及び関連サービス情報を含むチェックイン細部情報がディスプレイされる。
【０２２７】
スマートデバイス３００によるチェックイン後、スマートデバイス３００を介して、ＴＶ放送コンテンツ共有サーバ１００に、ＴＶ視聴者の要請が伝送されれば、ＴＶ視聴者のＴＶデバイス２００にディスプレイされる放送コンテンツに係わって、チェックイン細部情報及びチェックインされたコンテンツに係わるＳＮＳ情報は、スマートデバイス２００にディスプレイされる。
【０２２８】
一方、前述の本発明の実施形態は、コンピュータで実行されるプログラムに作成可能であり、コンピュータで読み取り可能な記録媒体を利用して、前記プログラムを動作させる汎用デジタル・コンピュータで具現される。前記コンピュータで読み取り可能な記録媒体は、マグネチック記録媒体（例えば、ＲＯＭ（read-only memory）、フロッピー（登録商標）ディスク、ハードディスクなど）、光学的判読媒体（例えば、ＣＤ（compact disc）−ＲＯＭ、ＤＶＤ（digital versatile disc）など）のような記録媒体を含む。
【０２２９】
以上、本発明について、その望ましい実施形態を中心に説明した。本発明が属する技術分野の当業者であるならば、本発明が本発明の本質的な特性から外れない範囲で変形された形態に具現されうるということを理解することができるであろう。従って、開示された実施形態は、限定的な観点ではなく、説明的な観点から考慮されなければならない。本発明の範囲は、前述の説明ではなく、特許請求の範囲に示されており、それと同等な範囲内にある全ての差異は、本発明に含まれたものであると解釈されなければならないのである。
【符号の説明】
【０２３０】
１００  ＴＶ放送コンテンツ共有サーバ
１１０  チェックイン管理部
１２０  視聴者別個人情報管理部
１３０  リアルタイム視聴者情報管理部
１４０  関連サービス情報管理部
１５０  ネットワーク網
【図１】
0005987227.tif 000002
【図２】
0005987227.tif 000003
【図３】
0005987227.tif 000004
【図４】
0005987227.tif 000005
【図５】
0005987227.tif 000006
【図６】
0005987227.tif 000007
【図７】
0005987227.tif 000008
【図８】
0005987227.tif 000009
【図９】
0005987227.tif 000010
【図１０】
0005987227.tif 000011
【図１１】
0005987227.tif 000012
【図１２】
0005987227.tif 000013
【図１３】
0005987227.tif 000014
【図１４】
0005987227.tif 000015
【図１５】
0005987227.tif 000016
【図１６】
0005987227.tif 000017
【図１７】
0005987227.tif 000018
【図１８】
0005987227.tif 000019
【図１９】
0005987227.tif 000020
【図２０】
0005987227.tif 000021
【図２１】
0005987227.tif 000022
【図２２】
0005987227.tif 000023
【図２３】
0005987227.tif 000024
【図２４】
0005987227.tif 000025
【図２５】
0005987227.tif 000026